(57)【要約】  撮像装置は、第１の表示手段（２０５）と、第２の表示手段（２０６）と、第１及び第２の表示手段における、種々の設定を変更するための設定画面の表示を制御する制御手段（２１１）とを備える。制御手段（２１１）は、第１の表示手段に表示させる設定画面と、第２の表示手段に表示させる設定画面とを異ならせるように設定画面の表示を制御する。設定画面は、所定の設定項目と、各設定項目に関する設定値の候補とを配置した画像を含む。制御手段は、第１の表示手段に表示される設定画面と第２の表示手段に表示される設定画面とにおいて、表示される設定項目及び設定値の候補の種類を共通とし、設定項目の配置方向は同一で、設定値の候補の配置方向が異なるように、設定画面の表示を制御する。
2010029767.tif 000002
【特許請求の範囲】
【請求項１】
第１の表示手段と、
第２の表示手段と、
前記第１及び第２の表示手段における、種々の設定を変更するための設定画面の表示を制御する制御手段と、を備え、
前記制御手段は、前記第１の表示手段に表示させる設定画面と、前記第２の表示手段に表示させる設定画面とを異ならせるように設定画面の表示を制御し、
前記設定画面は、所定の設定項目と、各設定項目に関する設定値の候補とを配置した画像を含み、
前記制御手段は、前記第１の表示手段に表示される設定画面と前記第２の表示手段に表示される設定画面とにおいて、表示される設定項目及び設定値の候補の種類を共通とし、
前記設定項目の配置方向は同一で、前記設定値の候補の配置方向が異なるように、設定画面の表示を制御する、
撮像装置。
【請求項２】
左右方向の回動操作及び押下操作を受付け、各操作に対応した信号を出力する操作部材である第１の操作手段と、
上下方向の操作を受付け、各操作に対応した信号を出力する操作部材である第２の操作手段と
をさらに備える、
請求項１記載の撮像装置。
【請求項３】
前記第１の表示手段に表示される設定画面は、前記設定値の候補を左右方向に選択可能に配置した画像であり、
前記第２の表示手段に表示される設定画面は、前記設定値の候補を上下方向に選択可能に配置した画像である、
請求項１または２に記載の撮像装置。
【請求項４】
前記第１の表示手段は、画像を表示する表示装置が撮像装置の本体内部に設けられ、前記第２の表示手段は、画像を表示する表示装置が撮像装置の本体外部に設けられた、請求項１記載の撮像装置。
【請求項５】
前記設定項目は、絞り値、ＩＳＯ感度、シャッタスピード、及び、ホワイトバランスのうちの少なくとも１つを含む、請求項１記載の撮像装置。
【発明の詳細な説明】
【技術分野】
【０００１】
本発明は、画像を撮像し画像データを生成する撮像装置に関し、特に、表示手段を備え、表示手段において種々の設定を行うための設定画面を表示可能な撮像装置に関する。
【背景技術】
【０００２】
ビデオカメラやデジタルスチルカメラのような撮像装置に対して、使用者は種々の設定を行うことができる。通常、設定は撮像装置の表示手段上に表示された設定画面を使用して行われる。【０００３】
例えば、特許文献１は、表示手段上に表示された設定画面を見ながら撮像装置の設定を可能とする撮像装置（ビデオカメラ）を開示する。特許文献１の撮像装置は、カメラ本体に対して出没自在に設けられたマニュアル調整部（操作部）と、ＣＣＤで撮像した画像や設定を行うための設定画面を表示するビューファインダーとを備える。マニュアル調整部は、プッシュと回転により操作されるダイヤルを備える。使用者はこのダイヤルを操作することにより、ビューファインダーを覗きながら、種々のマニュアル調整（明るさ、オートフォーカス等）及びメニュー選択を迅速かつ簡単に操作できる。【０００４】
一方、撮像装置には複数の表示手段を備えたものがある。例えば、表示手段として、ビューファインダーのみならず液晶ディスプレイを備えた撮像装置がある。使用者の利便性を考慮すると、このような複数の表示手段を備えた撮像装置について、ビューファインダーと液晶ディスプレイの双方の表示手段において設定画面を用いて設定を行えるように構成されることが好ましいと考えられる。
【先行技術文献】
【特許文献】
【０００５】
【特許文献１】特開平８−４３８９９号公報
【発明の概要】
【発明が解決しようとする課題】
【０００６】
しかしながら、ビューファインダー及び液晶モニタはそれぞれ使い勝手が異なる。このため、それぞれの表示手段上で同じ操作部材、同じ設定画面を用いて設定を行うことが、必ずしも使用者にとって使い勝手のよくなるとは限られない。【０００７】
本発明は、上記課題を考慮してなされたものであり、撮像装置の設定操作において使用者にとって使い勝手のよい撮像装置を提供することを目的とする。
【課題を解決するための手段】
【０００８】
本発明に係る撮像装置は、第１の表示手段と、第２の表示手段と、第１及び第２の表示手段における、種々の設定を変更するための設定画面の表示を制御する制御手段と、を備える。制御手段は、第１の表示手段に表示させる設定画面と、第２の表示手段に表示させる設定画面とを異ならせるように設定画面の表示を制御する。設定画面は、所定の設定項目と、各設定項目に関する設定値の候補とを配置した画像を含む。制御手段は、第１の表示手段に表示される設定画面と第２の表示手段に表示される設定画面とにおいて、表示される設定項目及び設定値の候補の種類を共通とし、設定項目の配置方向は同一で、設定値の候補の配置方向が異なるように、設定画面の表示を制御する。
【発明の効果】
【０００９】
本発明によれば、操作時に画像を表示する表示手段に応じて、複数の設定情報の中から１つの設定情報を選択する際に表示させる設定情報画像を異なるようにした。これにより、情報の選択操作において、表示手段に応じた、より直感的な使用者による操作を可能とする、使い勝手のよい撮像装置を提供できる。
【図面の簡単な説明】
【００１０】
【図１】本実施の形態１に係るデジタルカメラの上面及び背面図
【図２】本実施の形態１に係るデジタルカメラのブロック図
【図３】本実施の形態１に係るダイヤル及び十字キーの操作を説明するための図
【図４】本実施の形態１に係る表示画像の一例を示す図
【図５】本実施の形態１に係る表示画像の一例を示す図
【図６】本実施の形態１に係る第１設定情報画像及び第２設定情報画像を説明するための図
【図７】本実施の形態１に係る表示画像の一例を示す図
【図８】本実施の形態１に係る表示画像の一例を示す図
【図９】本実施の形態１に係る操作部材の操作に対する動作の割り当てを説明するための図
【図１０】本実施の形態１に係るデジタルカメラ１の動作例を説明するためのフローチャート
【図１１】本実施の形態１に係る表示画像の一例を示す図
【図１２】本実施の形態１に係る表示画像の一例を示す図
【図１３】本実施の形態１に係る表示画像の一例を示す図
【図１４】本実施の形態１に係る表示画像の一例を示す図
【図１５】本実施の形態２に係る操作部材の操作に対する動作の割り当てを説明するための図
【図１６】本実施の形態１に係る第１又は第２モードの設定を説明するための図
【図１７】本実施の形態２に係るデジタルカメラ１の動作例を説明するためのフローチャート
【図１８】本実施の形態２に係る表示画像の一例を示す図
【図１９】本実施の形態２に係る表示画像の一例を示す図
【図２０】本実施の形態２に係る表示画像の一例を示す図
【図２１】本実施の形態３に係る操作部材の操作に対する動作の割り当てを説明するための図
【図２２】本実施の形態３に係るデジタルカメラ１の動作例を説明するためのフローチャート
【図２３】本実施の形態３に係る表示画面の一例を説明するための図
【図２４】他の実施の形態に係る操作部材の操作に対する動作の割り当てを説明するための図
【発明を実施するための形態】
【００１１】
以下、図面を参照して本発明の実施の形態を説明する。以下では、本発明の思想をデジタルカメラに適用した例を説明する。
【００１２】
（実施の形態１）
１．構成
１−１  デジタルカメラの構成
図１は、本実施の形態のデジタルカメラ１の外観図である。図２は、本実施の形態のデジタルカメラ１の構成図である。
【００１３】
図１に示すように、本実施の形態のデジタルカメラ１は、カメラ本体２と、カメラ本体２に着脱可能な交換レンズ３とを備える。
【００１４】
図２に示すように、カメラ本体２はＣＭＯＳセンサ２０１、シャッタ２０２、信号処理プロセッサ２０３（ＤＳＰ）、バッファメモリ２０４、液晶モニタ２０５、電子ビューファインダー２０６（ＥＶＦ）、電源２０７、ボディマウント２０８、フラッシュメモリ２０９、カードスロット２１０、ＣＰＵ２１１、シャッタスイッチ２１２、ストロボ２１３、マイク２１４、スピーカー２１５、クイック設定釦２３０、ダイヤル２３１及び十字キー２３２を備える。
【００１５】
また交換レンズ３は、レンズマウント３０１、ズームレンズ３０３やフォーカスレンズ３０４を含むレンズ系、ズームレンズ３０３を駆動させるズーム駆動部３０５、フォーカスレンズ３０４を駆動させるフォーカス駆動部３０６、絞り３０７、絞り３０７を駆動させる絞り駆動部３０８、ズームリング３０９、フォーカスリング３１０、カメラ本体２から指示を受け付けるレンズコントローラ３１１、および、フラッシュメモリ３１２と、を備える。以下、カメラ本体２及び交換レンズ３の構成についてより詳細に説明する。
【００１６】
１−２  カメラ本体の構成
カメラ本体２は、交換レンズ３のレンズ系によって集光された被写体像を撮像して、画像データとして記録するように構成されている。
【００１７】
ＣＭＯＳセンサ２０１は、受光素子と、ＡＧＣ（ゲイン・コントロール・アンプ）と、ＡＤコンバータとを含む。受光素子は、レンズ系によって集光された光学的信号を電気信号に変換し、画像データを生成する。ＡＧＣは、ＣＭＯＳセンサ２０１から出力された電気信号を増幅する。ＡＤコンバータは、ＣＭＯＳセンサ２０１から出力されたアナログ電気信号をデジタル信号に変換する。ＣＭＯＳセンサ２０１は、ＣＰＵ２１１から受信した制御信号に従って、露光、転送、電子シャッタなどの各種の動作を行う。
【００１８】
メカシャッタ２０２は、レンズ系を介して入射した光学的信号のＣＭＯＳセンサ２０１に対する遮断又は通過を切替える。
【００１９】
信号処理プロセッサ２０３（ＤＳＰ）は、ＡＤコンバータによってデジタル信号に変換された画像データに所定の画像処理を施す。所定の画像処理には、ガンマ変換、ＹＣ変換、電子ズーム処理、圧縮処理、伸張処理等が含まれるが、これらに限定されるものではない。
【００２０】
バッファメモリ２０４は、信号処理プロセッサ２０３で処理を行う際、および、ＣＰＵ２１１で制御処理を行う際にワークメモリとして機能する。バッファメモリ２０４は、例えば、ＤＲＡＭなどで実現可能である。
【００２１】
液晶モニタ２０５は、カメラ本体２の背面に配置され、ＣＭＯＳセンサ２０１で生成された画像データまたはその画像データに所定の処理が施された画像データを表示可能である。液晶モニタ２０５に入力される画像信号は、信号処理プロセッサ２０３又はＣＰＵ２１１から液晶モニタ２０５に出力される際、ＤＡコンバータによってデジタル信号からアナログ信号に変換される。
【００２２】
電子ビューファインダー２０６はカメラ本体２内部に配置され、ＣＭＯＳセンサ２０１で生成された画像データまたはその画像データに所定の処理が施された画像データを表示可能である。電子ビューファインダー２０６は、液晶ディスプレイと視度調整レンズなどを備えて構成される。なお、電子ビューファインダー２０６に入力される画像信号も同様に、信号処理プロセッサ２０３から電子ビューファインダー２０６に出力される際、ＤＡコンバータによってデジタル信号からアナログ信号に変換される。電子ビューファインダー２０６はカメラ本体２内部に配置されていることから、使用者はカメラ本体２内を覗き込むことで、電子ビューファインダー２０６に表示された画像を視認できる。
【００２３】
液晶モニタ２０５と電子ビューファインダー２０６は、表示切替手段２１７によって、いずれか一方にのみ画像が表示されるように切り替えられる。すなわち、液晶モニタ２０５に画像が表示されている間は、電子ビューファインダー２０６には画像が表示されず、電子ビューファインダー２０６に画像が表示されている間は、液晶モニタ２０５に画像は表示されないように構成されている。表示切替手段２１７（図１参照）は物理的な部材で実現でき、切替スイッチ２３４（図２参照）に対応する。表示切替手段２１７（切替スイッチ２３４）は、信号処理プロセッサ２０３に対して、液晶モニタ２０５及び電子ビューファインダー２０６のいずれかが電気的に接続されるように接続を切り替える。すなわち、切替スイッチ２３４によって、画像を表示する表示手段を、液晶モニタ２０５と電子ビューファインダー２０６の間で切り替えることができる。なお、上記の例に限られず、ＣＰＵ２１１等からの制御信号に基づいて、液晶モニタ２０５と電子ビューファインダー２０６への表示の切り替えを行なってもよい。
【００２４】
以上のように、液晶モニタへの表示と、電気ビューファインダーへの表示とを切り替えるように構成されている。但し、これは、一例であり、液晶モニタへの表示と、電子ビューファインダーへの表示を同時に行なうようにしてもかまわない。ここで、同時に表示する場合、液晶モニタに表示する画像と、電子ビューファンダーへ表示する画像は、同じ画像であっても、違う画像であってもかまわない。
【００２５】
電池２０７は、デジタルカメラ１を駆動するための電力を供給する。電池２０７は、例えば乾電池であってもよいし、充電池であってもよい。また、電池２０７の代わりに、コードを介して外部から供給される電力を電源としてデジタルカメラ１に供給するようにしてもよい。
【００２６】
ボディマウント２０８は、交換レンズ３のレンズマウント３０１と相俟って、交換レンズ３の着脱を可能にする部材である。
【００２７】
フラッシュメモリ２０９は、内蔵メモリとして用いられる記憶媒体である。フラッシュメモリ２０９は、画像データまたはその画像データに所定の処理が施された画像データを記憶可能である。
【００２８】
また、フラッシュメモリ２０９は、項目画像及び設定情報画像を記憶可能である。さらに、フラッシュメモリ２０９は、ＣＰＵ２１１の制御のためのプログラムや設定値などを記憶可能である。
【００２９】
カードスロット２１０は、メモリカード２１８を着脱するためのスロットである。メモリカード２１８は、画像データ等が記憶可能である。
【００３０】
ＣＰＵ２１１は、カメラ本体２の全体を制御する。ＣＰＵ２１１は、マイクロコンピュータで実現してもよく、ハードワイヤードな回路で実現してもよい。すなわち、ＣＰＵ２１１は各種の制御を実行する。
【００３１】
シャッタスイッチ２１２は、カメラ本体２の上面に設けられた釦であり、使用者の半押しおよび全押し操作を検知する。シャッタスイッチ２１２は、使用者の半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。
【００３２】
クイック設定釦２３０は、カメラ本体２の上面に設けられる。クイック設定釦２３０は、使用者からの押下を受け付けると、操作信号をＣＰＵ２１１に送信する。クイック設定釦２３０は、デジタルカメラ１の種々の設定項目の中のいくつかの項目についての設定を可能とするための画像（項目画像）を液晶モニタ２０５または電子ビューファインダー０２６に表示させるためのボタンである。クイック設定釦２３０が押下されると、液晶モニタ２０５または電子ビューファインダー２０６上で、スルー画像にメニューが重畳表示されるクイックメニューが表示される。
【００３３】
ダイヤル２３１はカメラ本体２の把持部に設けられる操作部材である（図１参照）。ダイヤル２３１は図３（Ａ）に示すようにカメラ本体２の左右方向に対して回動可能である。また、ダイヤル２３１は図３（Ｂ）に示すようにカメラ本体２の背面方向に対して押下可能である。ダイヤル２３１は使用者によって操作されると、その操作に応じてＣＰＵ２１１に操作信号を送信する。すなわち、ダイヤル２３１は左方向に回動されると、左回動を示す操作信号を送信する。ダイヤル２３１は右方向に回動されると、右回動を示す操作信号を送信する。さらに、ダイヤル２３１は背面方向に押下操作されると、押下を示す操作信号を送信する。
【００３４】
十字キー２３２はカメラ本体２の背面に設けられる操作部材である（図１参照）。十字キー２３２は、図３（Ｃ）に示すように、上下左右に配置される４つのキー２３ａ〜２３ｄを有する。さらに十字キー２３２は上下左右キー２３ａ〜２３ｄの中央に配置された中央キー２３ｅを有する。各キー２３ａ〜２３ｅはそれぞれスイッチングデバイスの上部に配置された部材からなり、この部材が操作されることで押下を検知する。十字キー２３２は５つのキー２３ａ〜２３ｅの何れかが押下されると、ＣＰＵ２１１に操作信号を送信する。すなわち、上方向に配置された上キー２３ａが押下されると、上方向を示す操作信号が送信される。同様に、下方向に配置された下キー２３ｂが押下されると、下方向を示す操作信号が送信される。左方向に配置された左キー２３ｃが押下されると、左方向を示す操作信号が送信される。右方向に配置された右キー２３ｄが押下されると、右方向を示す操作信号が送信される。中央キー２３ｅが押下されると、決定を示す操作信号がＣＰＵ２１１に送信される。なお、十字キー２３２の各キー２３ａ〜２３ｄに対するスイッチングデバイスの上部に設けられる部材は、一つの部材で上下左右方向に対する操作を受け付けるものであってもよいし、上下左右方向において別々の部材で構成され、各方向に対する操作を受け付けるものであってもよい。本実施の形態では別々の部材で構成されているとする。
【００３５】
カメラ本体２はモード切り替えダイヤル２３５を備える。モード切り替えダイヤル２３５は略円形形状で構成され、使用者が回動操作することによって、複数の制御モードの中から一つの制御モードを選択できるように構成されている。すなわち、モード切り替えダイヤル２３５は、複数の制御モードの中の一つを選択できるようにするため、制御モードに対応した、モード切替ダイヤル２３５の回転位置を検知できるようになっている。複数の制御モードには、「静止画撮影モード」、「動画撮影モード」、又は「再生モード」などが含まれる。例えば、モード切り替えダイヤル２３５の上面に記載された「静止画撮影モード」を示す画像が、所定の位置（選択位置）に移動されると、モード切り替えダイヤル２３５は、「静止画撮影モード」に変更されたことを示すモード切り替え信号をＣＰＵ２１１に出力する。これによって、制御モードの切り替えを検知できる。
【００３６】
１−３  交換レンズの構成
レンズ系は、ズームレンズ３０３とフォーカスレンズ３０４と対物レンズ３０２を含んで構成され、被写体からの光を集光する。ズームレンズ３０３は、ズーム駆動部３０５又はズームリング３０９によって駆動され、ズーム倍率を調整するものである。フォーカスレンズ３０４は、フォーカス駆動部３０６又はフォーカスリング３１０によって駆動され、ピントの調節を行なうようにしたものである。要するに、フォーカスレンズ３０４やズームレンズ３０３は可動レンズである。交換レンズ３は、従来技術と同様であるため、説明を割愛する。
【００３７】
２．項目画像及び設定情報画像
本実施形態では、液晶モニタ２０５に、デジタルカメラの種々の設定を行うための項目画像と設定情報画像が表示される。使用者は、項目画像または設定情報画像が表示された状態で操作部材（ダイヤル２３１、十字キー２３２）を操作することで、デジタルカメラ１に対して撮影条件等の種々の設定ができる。
【００３８】
項目画像は、複数の設定項目を表示した画像である。設定項目には、例えば、シャッタスピード、絞り値、ＩＳＯ感度、ホワイトバランス、ＡＦエリア、記録可能枚数、測光方法（重点測光、一部測光等）、及び、ストロボの制御方法等が含まれるが、これらに限られるものではない。液晶モニタ２０５または電子ビューファインダー２０６に項目画像が表示され、使用者によるダイヤル２３１又は十字キー２３２の操作にしたがい複数の設定項目の中から１つが選択されるようになっている。
【００３９】
図４（Ｂ）に項目画像の一例を示す。項目画像２０は複数の設定項目２１〜２４を含む。図４（Ｂ）では、設定項目として、絞り値２１、シャッタスピード２２、露出補正値２３及びＩＳＯ感度２４が表示されている。使用者は、操作部材を操作して、項目画像２０が示す複数の設定項目２１〜２４の中から一つを選択することができる。液晶モニタ２０５及び電子ビューファインダー２０６上では、項目画像２０（図４（Ｂ）参照）は、スルー画像を含む画像（図４（Ａ）参照）に重畳されて表示される。図５に、項目画像２０がスルー画像を含む画像に重畳されて表示された例を示す。図５に示すように、項目画像２０は、使用者によって選択されている項目と選択されていない他の項目とを色を変えて表示（例えば、グレー表示）する。
【００４０】
設定情報画像は、各設定項目に対応する複数の設定情報を含む。図６（Ａ）、（Ｂ）に設定情報画像の一例を示す。図６（Ａ）、（Ｂ）の設定情報画像３１、３２は、ＩＳＯ感度の設定項目に関する複数の設定値を表示している。図６（Ａ）、（Ｂ）では、ＩＳＯ感度の設定値の一例として、「ＡＵＴＯ」、「１００」、「２００」、「４００」、「８００」、「１６００」が選択可能に表示されている。カメラ本体２のＣＰＵ２１１は、使用者による操作部材の操作にしたがい、設定情報画像３１、３２が示す複数の設定情報（設定値）の中から一つを選択し、決定する。設定情報画像は、図６（Ａ）に示すような第１設定情報画像３１と、図６（Ｂ）に示すような第２設定情報画像３２を含む。第１設定情報画像３１では、電子ビューファインダー２０６や液晶モニタ２０５に対して、複数の設定値情報が左右方向（水平方向）に並べて配置される。また、第２設定情報画像３２は、複数の設定値情報が上下方向（鉛直方向）に並べて配置される。図７に、ＩＳＯ感度の設定項目に対する第１設定情報画像３１の表示例を示し、図８に、ＩＳＯ感度の設定項目に対する第２設定情報画像３２の表示例を示す。設定情報画像３１、３２において、使用者によって選択されている設定情報と、選択されていない設定情報とは表示方法（例えば、色）を異ならせて表示される。例えば、選択された設定情報はグレー表示される。
【００４１】
なお、項目画像と設定情報画像の画像データはフラッシュメモリ２０９に記憶されており、ＣＰＵ２１１はフラッシュメモリ２０９から項目画像及び設定情報画像の画像データを読み出し、液晶モニタ２０５または電子ビューファインダー２０６に表示させる。
【００４２】
３．動作
３．１  デジタルカメラの動作概要
本実施の形態のデジタルカメラ１は、使用する表示手段に応じて操作可能な操作部材を切り替えるように構成されている。図９(Ａ)、(Ｂ)に、使用する表示手段と、操作可能な操作部材との対応関係を示す。デジタルカメラ１が電子ビューファインダー２０６に画像が表示されるよう設定されている場合、図９（Ａ）に示すように、デジタルカメラ１は、ダイヤル２３１の操作に応じて、項目や設定情報の選択、決定を実施する。一方、デジタルカメラ１が液晶モニタ２０５に画像が表示されるよう設定されている場合、図９（Ｂ）に示すように、デジタルカメラ１は、十字キー２３２の操作に応じて、項目や設定情報の選択、決定を実施する。
【００４３】
以下、電子ビューファインダー２０６に画像（項目画像・設定情報画像等）を表示させるよう設定されている場合の動作と、液晶モニタ２０５に画像を表示させるよう設定されている場合の動作の概要をそれぞれ説明する。なお、この設定は、切替スイッチ２３４により切り替えることができる。
【００４４】
最初に、デジタルカメラ１が電子ビューファインダー２０６に画像を表示させるよう設定されている場合を説明する。図９（Ａ）に示すように、電子ビューファインダー２０６に画像を表示させる場合、操作部材はダイヤル２３１となる。
【００４５】
デジタルカメラ１は、電子ビューファインダー２０６に、設定項目を選択するための項目画像２０を表示する。この状態で、使用者によるダイヤル２３１の操作があると、ＣＰＵ２１１はその操作に応じて項目画像２０が示す複数の設定項目２１〜２４の中から１つを選択する。ＣＰＵ２１１は、選択された設定項目に関連する設定情報画像を電子ビューファインダー２０６に表示させる。本実施形態では、操作部材がダイヤル２３１である場合、設定項目に関する複数の設定情報がカメラ本体２の左右方向に並べて配置される第１設定情報画像３１が表示される。ＣＰＵ２１１は、第１設定情報画像３１が表示されると、使用者のダイヤル２３１に対する左右方向の操作に応じて、複数の設定情報の中から１つの設定情報を選択する。ＣＰＵ２１１は、選択した設定情報で設定を行なう。
【００４６】
次に、デジタルカメラ１が液晶モニタ２０５に画像を表示させるよう設定されている場合を説明する。図９（Ｂ）に示すように、液晶モニタ２０５に画像を表示させる場合、操作部材は十字キー２３２となる。
【００４７】
デジタルカメラ１は液晶モニタ２０５に項目画像２０を表示する。この状態で使用者の十字キー２３２に対する操作があると、ＣＰＵ２１１はその操作に応じて、項目画像の複数の項目から１つの設定項目を選択する。ＣＰＵ２１１は、選択された設定項目に関連する設定情報画像を液晶モニタ２０５に表示させる。本実施形態では、操作部材が十字キー２３２である場合、設定項目に関する複数の設定情報がカメラ本体２の上下方向に並べて配置される第２設定情報画像３２が表示される。ＣＰＵ２１１は、第２設定情報画像３２が表示されると、使用者の十字キー２３２に対する上下方向の操作に応じて、複数の設定情報の中から１つの設定情報を選択する。ＣＰＵ２１１は、選択した設定情報で設定を行う。
【００４８】
以上のように、本実施形態では、画像表示に使用する表示手段（電子ビューファインダー２０６または液晶モニタ２０５）に応じて操作部材（ダイヤル２３１または十字キー２３２）を切り替えるとともに、操作部材に応じて表示手段に表示させる設定情報画像も切り替えている。すなわち、画像表示に使用する表示手段（電子ビューファインダー２０６または液晶モニタ２０５）に応じて、表示手段に表示させる設定情報画像を切り替えている。
【００４９】
一般に電子ビューファインダー２０６に表示された画像を視認する場合、使用者はカメラ本体２に顔を接近させる必要があり、そのような状態では、使用者にとっては十字キー２３２よりもダイヤル２３１の方が使い勝手がよい。そのため、電子ビューファインダー２０６を使用する場合は、ダイヤル２３１を操作部材に設定する。さらに、ダイヤル２３１の操作方向は左右方向であることから、その操作方向と、設定項目または設定情報の選択方向とが一致するように第１設定情報画像３１を表示させるようにしている。一方、液晶モニタ２０５を使用する場合、使用者はカメラ本体２に顔を接近させずに画像を視認できる。そこで、液晶モニタ２０５を使用する場合、ダイヤル２３１よりもより操作の自由度の高い十字キー２３２を操作部材として設定するとともに、十字キー２３２の上下方向の操作方向と、設定項目等の選択方向とが一致するように第２設定情報画像３２を表示させるようにしている。
【００５０】
以上のように、表示手段に応じて操作部材を変更することで、より使い勝手のよい操作部材を設定でき、操作部材の操作方向に選択方向が一致した設定情報画像を表示することで、使用者による直感的な操作が可能となり、設定変更操作における使用者の利便性を向上することが可能となる。
【００５１】
３．２  デジタルカメラの詳細な動作
図１０のフローチャートを用いて、設定操作時におけるデジタルカメラ１の詳細な動作を説明する。以下では、デジタルカメラ１が「静止画撮影モード」に設定されている場合の動作例を説明する。また、電子ビューファインダー２０６に画像が表示されるように設定されている場合と、液晶モニタ２０５に画像が表示されるように設定されている場合の各々における動作を説明する。
【００５２】
３．２．１  電子ビューファインダーに画像が表示されるように設定されている場合
最初に、電子ビューファインダー２０６に画像が表示されるよう設定されている場合の、設定項目及び設定情報の選択／決定動作を説明する。
【００５３】
ＣＰＵ２１１は、ＣＭＯＳセンサ２０１が生成した画像データをスルー画像として、電子ビューファインダー２０６に表示させる。具体的には、ＣＰＵ２１１は、ＣＭＯＳセンサ２０１で順次生成される画像データを、電子ビューファインダー２０６に順次表示させる（図４（Ａ）参照）。
【００５４】
ＣＰＵ２１１は、クイック設定釦２３０から操作信号を受け付けると（Ａ１）、図４（Ｂ）に示すような項目画像２０を、スルー画像を含む画像に重畳して電子ビューファインダー２０６に表示させる（Ａ２）（図５参照）。なお、電子ビューファインダー２０６の液晶ディスプレイの下に独立の表示部材を設けてもよく、項目画像２０をその表示部材に表示させるようにしてもよい。
【００５５】
ＣＰＵ２１１は、複数の設定項目及び設定情報から１つの項目及び設定情報を選択する際に操作される部材がダイヤル２３１であるか十字キー２３２であるかを判断する（Ａ３）。電子ビューファインダー２０６に画像が表示されるとして設定されているため、操作される部材はダイヤル２１３となる。なお、ステップＡ３では、操作される部材がダイヤル２３１であるか十字キー２３２であるかを判断しているが、画像の表示手段が電子ビューファインダー２０６（ダイヤル２３１に対応）か液晶モニタ２０５（十字キー２３２に対応）であるかを判断してもよい。
【００５６】
よって、ステップＡ４に進み、ＣＰＵ２１１は、ダイヤル２３１の回動操作に応じて、複数の設定項目から一つを選択する（Ａ４）。そして、ＣＰＵ２１１は、ダイヤル２３１が押下操作されるまで（Ａ５）、ダイヤル２３１の回動操作による選択動作を継続する。
【００５７】
ここで、設定項目の選択及び決定動作について説明する。今、図５に示すような項目画像２０が電子ビューファインダー２０６に表示されているとする。使用者はダイヤル２３１をカメラ本体２に対して左右に回動することで、複数の設定項目２１〜２４の中から一つを選択する。選択された設定項目（図５では、ＩＳＯ感度の設定項目２４）はグレー表示される。より具体的には、使用者によりダイヤル２３１がカメラ本体２に対して左に回動されると、グレー表示されている項目が一つずつ左へ移動する。同様に、ダイヤル２３１がカメラ本体２に対して右に回動されると、グレー表示されている項目が一つずつ右へ移動する。この後、使用者は、ダイヤル２３１をカメラ本体２の背面方向に対して押下すると、グレー表示されている項目が、設定情報を選択するための項目として決定される。
【００５８】
以上の動作において、ＣＰＵ２１１は、ダイヤル２３１からの左回動を示す操作信号、右回動を示す操作信号または押下を示す操作信号を受け、操作信号に応じて電子ビューファインダー２０６の表示を制御している。
【００５９】
図１０のフローチャートに戻り、ＣＰＵ２１１は、項目画像２０から１つの設定項目が選択され決定されると、図７に示すような第１設定情報画像３１を、電子ビューファインダー２０６に表示させる（Ａ６）。そして、ＣＰＵ２１１は、ダイヤル２３１に対する操作に応じて、複数の設定情報から一つの設定情報を選択し、選択した設定情報で設定を行う（Ａ７）。
【００６０】
ダイヤル２３１の操作に応じた設定情報の選択方法は、前述の項目画像２０から項目を選択する方法と同様である。すなわち、ダイヤル２３１の回動で設定情報を選択し、ダイヤル２３１の押下で、選択した設定情報を、設定されるべき設定情報として決定する。
【００６１】
ＣＰＵ２１１は、このようにして決定された設定情報に基づいて、デジタルカメラ１の各部を設定する（Ａ１１）。例えば、ＣＰＵ２１１は、ＩＳＯ感度として「４００」を決定した場合、ＩＳＯ感度を「４００」にするための制御信号をＣＭＯＳセンサ２０１に送信する。ＣＭＯＳセンサ２０１はこの制御信号に基づいてＡＧＣの受光感度を調整する。これによって、決定された設定情報に基づいて各部の設定を行なうことが可能になる。ＩＳＯ感度以外の項目についても同様の方法で設定できる。
【００６２】
３．２．２  液晶モニタに画像が表示されるように設定されている場合
次に、液晶モニタ２０５に画像が表示されるよう設定されている場合の、設定項目及び設定情報の選択／決定動作を説明する。
【００６３】
ＣＰＵ２１１は、ＣＭＯＳセンサ２０１が生成した画像データをスルー画像として、液晶モニタ２０５に表示させる。具体的には、ＣＰＵ２１１は、ＣＭＯＳセンサ２０１で順次生成される画像データを、液晶モニタ２０５に順次表示させる（図１１（Ａ）参照）。
【００６４】
ＣＰＵ２１１は、クイック設定釦２３０から操作信号を受け付けると（Ａ１）、図１１（Ｂ）に示すような項目画像２０を、スルー画像を含む画像に重畳して電子ビューファインダー２０６に表示させる（Ａ２）。
【００６５】
ＣＰＵ２１１は、項目及び設定情報の選択／決定のために操作される部材がダイヤル２３１であるか十字キー２３２であるかを判断する（Ａ３）。ここでは、液晶モニタ２０５に画像が表示されるよう設定されているため、操作される部材は十字キー２１２となる。よって、ステップＡ８に進み、ＣＰＵ２１１は、十字キー２３２の左右方向を示す操作に応じて複数の設定項目から一つを選択する（Ａ８）。本実施の形態では、複数の設定項目の中から選択した項目に対応する第２設定情報画像を逐次表示するようにしている。つまり、十字キー２３２に対する左右方向の操作に応じて、選択されている設定項目が変更されると、その変更された設定項目に関連する第２設定情報画像が表示される。例えば、図１３に示すように、ＩＳＯ感度の設定項目２４が選択された場合、ＩＳＯ感度に関する設定値を含む第２設定情報画像３２が表示される。また、図１２に示すように、シャッタスピードの設定項目２２が選択されると、シャッタスピードに関連する設定値を含む第２設定情報画像３２が表示される。この後、ＣＰＵ２１１は、十字キー２３２の上方向を示す操作信号を受け付けるまで（Ａ９）、設定項目の選択動作を継続する。
【００６６】
十字キー２３２による設定項目の選択及び決定動作について詳細に説明する。今、図１２に示すような項目画像が液晶モニタ２０５に表示されたとする。この場合、使用者は、十字キー２３２の左右キー２３ｃ、２３ｄを押下することで、複数の設定項目から一つの項目を選択する。つまり、使用者が十字キー２３２の左キー２３ｃを押下すると、グレー表示されている設定項目が一つずつ左へ移動する。同様に、使用者が十字キー２３２の右キー２３ｄを押下すると、グレー表示されている設定項目が一つずつ右へ移動する。このとき、選択されている設定項目に関連する複数の設定情報が、第２設定情報画像３２として表示される（図１３参照）。この後、使用者が十字キー２３２の上キー２３ａを押下することで、設定情報の選択動作に移行することが可能である。従って、設定項目の選択から設定情報の選択に移行する際、素早い操作での移行が可能である。
【００６７】
ＣＰＵ２１１は、十字キー２３２からの左方向を示す操作信号、右方向を示す操作信号、及び、上方向を示す操作信号に応じて、液晶モニタ２０５の表示を制御している。
【００６８】
ＣＰＵ２１１は、十字キー２３２に対する上方向の操作を受け付けると、図１４に示すような画像を表示させる。すなわち、ＣＰＵ２１１は、図１４に示すように、設定情報画像３２が示す複数の設定情報の中の１つの設定情報（図１４では「１６００」）をグレー表示する。ＣＰＵ２１１は、十字キー２３２に対する上下操作に応じて、複数の設定情報から一つの設定情報を選択し、設定する（Ａ１０）。
【００６９】
次に、設定情報の選択動作について説明する。今、図１４に示すように設定情報画像３２が液晶モニタ２０５に表示されているとする。使用者は、十字キー２３２の上下キー２３ａ、２３ｂを押下することで、複数の設定情報から一つを選択する。つまり、使用者が十字キー２３２の上キー２３ａを押下すると、グレー表示されている設定情報が一つずつ上へ移動する。同様に、使用者が十字キー２３２の下キー２３ｂを押下すると、グレー表示されている設定情報が一つずつ下へ移動する。この後、使用者は十字キー２３２の中央キー２３ｅを押下すると、グレー表示されている設定情報が、制御に設定する設定情報として決定される。
【００７０】
ＣＰＵ２１１は、このようにして設定された設定情報に基づいて、デジタルカメラ１の設定を変更する（Ａ１１）。
【００７１】
４．まとめ
デジタルカメラ１は、液晶モニタ２０５と、電子ビューファインダー２０６と、液晶モニタ２０５と電子ビューファインダー２０６における種々の設定を変更するための設定画面の表示を制御するＣＰＵ２１１とを備える。ＣＰＵ２１１は、液晶モニタ２０５に表示させる第２設定情報画像３２と、電子ビューファインダー２０６に表示させる第１設定情報画像３１とを異ならせるように設定情報画像の表示を制御する。設定画像情報３１、３２は、所定の設定項目と、各設定項目に関する設定値の候補とを選択可能に配置した画像を含む。ＣＰＵ２１１は、電子ビューファインダー２０６に表示させる第１設定情報画像３１と液晶モニタ２０５に表示させる第２設定情報画像３２の間で、表示される設定項目及び設定値の候補の種類は共通するが、設定項目及び設定値の候補の表示方法が異なるように、設定画像情報３１、３２の表示を制御する。
【００７２】
この構成により、デジタルカメラ１は、情報を選択する際に、画像が表示される表示手段に応じた設定情報画像を、表示手段に表示することができるようになる。これによって、使用者はより直感的な操作を行なうことができるようになる。
【００７３】
本実施形態では、画像を表示する表示手段に応じて、操作可能な操作部材が設定されていたが、表示手段に対して操作部材を固定しなくてもよい。使用者は、画像が電子ビューファインダー２０６に表示されていれば、使い勝手の点からダイヤル２３１を使用し、画像が液晶モニタ２０５に表示されていれば、使い勝手の点から十字キー２３２を使用する機会が多いと考えられる。よって、画像が表示される表示手段に応じた設定情報画像を表示手段に表示させることで、自ずと使用者にとって直感的な操作が可能となり、使用者の利便性を向上できる。
【００７４】
（実施の形態２）
１．デジタルカメラの概要
本実施の形態では、デジタルカメラ１は、操作モードとして、第１モード及び第２モードを有する。第１モードでは、設定項目及び設定情報の選択／決定する際に操作される操作部材がダイヤル２３１に設定される。第２モードでは、設定項目及び設定情報の選択／決定する際に操作される操作部材が十字キー２３２に設定される。図１５（Ａ）、（Ｂ）に、各操作モードにおいて操作可能な操作部材を示す。つまり、ＣＰＵ２１１は、第１モードに設定された場合、図１５（Ａ）に示すように、ダイヤル２３１への操作に応じて設定項目や設定情報が選択されるように制御する一方、第２モードに設定された場合、図１５（Ｂ）に示すように、十字キー２３２への操作に応じて設定項目や設定情報が選択されるように制御する。さらに、操作モードに応じて、設定情報を選択するための設定情報画像を異ならせている。すなわち、第１モードの場合は第１の設定情報画像３１を表示し、第２モードの場合は第２の設定情報画像３２を表示する。
【００７５】
以下、第１モード及び第２モードそれぞれにおけるデジタルカメラ１の動作の概要を説明する。画像は液晶モニタ２０５に表示されるとする。
【００７６】
ＣＰＵ２１１は、第１モードに設定された場合、液晶モニタ２０５に項目画像２０を表示させる。第１モードに設定された場合、ＣＰＵ２１１は、使用者からのダイヤル２３１に対する操作に応じて複数の設定項目の中から１つを選択する。さらにデジタルカメラ１は、選択された設定項目に関連する設定情報を含む設定情報画像を液晶モニタ２０５に表示させる。すなわち、操作部材がダイヤル２３１であることから、複数の設定情報が左右方向に並べられて配置される第１設定情報画像３１が表示される。使用者のダイヤル２３１による左右方向の操作に応じて複数の設定情報の中から１つの設定情報が選択されると、ＣＰＵ２１１は、選択された設定情報で設定を行なう。
【００７７】
一方、第２モードに設定された場合、使用者の十字キー２３２による操作に応じて、複数の設定項目の中から１つの項目が選択される。デジタルカメラ１は、選択された項目に関連する設定情報を含む設定情報画像を液晶モニタ２０５に表示させる。すなわち、操作部材が十字キー２３２であることから、複数の設定情報がデジタルカメラ１の上下方向に並べられて配置される第２設定情報画像３２が表示される。使用者の十字キー２３２による上下方向の操作に応じて複数の設定情報の中から１つの設定情報が選択されると、デジタルカメラ１は、選択した設定情報で設定を行なう。
【００７８】
以上のように、本実施の形態では、操作モードに応じて、操作可能な操作部材と、表示手段に表示させる設定情報画像とを異ならせている。すなわち、操作部材と設定情報画像とを対応づけることにより、使用者による直感的な操作を可能とし、使い勝手のよい撮像装置を実現できる。
【００７９】
２．構成
実施の形態２のデジタルカメラ１の構成は実施の形態１のものと同様である。実施の形態２では、デジタルカメラ１は、第１モードまたは第２モードに設定可能である。前述のように、第１モードは、ダイヤル２３１に対する操作によって設定項目／設定情報の選択を可能とし、第２モードは、十字キー２３２に対する操作によって設定項目／設定情報の選択を可能とする。
【００８０】
３．動作
３．１  モード設定
デジタルカメラ１を第１モード又は第２モードに設定する方法を説明する。
まず、ＣＰＵ２１１は、図１６に示すようなモード選択画像を液晶モニタ２０５に表示させる。モード選択画像は、任意の操作に基づいて表示させればよく、本実施の形態での例に限定されない。例えば、スイッチを設けてこのスイッチの操作に応じて、表示するようにしてもよいし、あるタイミングで表示させるようにしてもよい。本実施の形態では、スイッチ操作で表示させるとし、デジタルカメラ１の背面に、表示モード切り替え釦２３６を設けている。
【００８１】
図１６に示すモード選択画像には、第１モードを選択するためのアイコン３４と、第２モードを選択するためのアイコン３６が含まれている。ＣＰＵ２１１は、使用者から十字キー２３２に対する操作に応じて選択されたアイコン３６にしたがい操作モードを決定する。具体的には、ＣＰＵ２１１は、使用者による十字キー２３２の上下キー２３ａ、２３ｂの操作に応じて第１モード又は第２モードを選択する。その後、使用者により中央スイッチ２３ｅが操作されると、選択しているモードが確定する。ＣＰＵ２１１は、確定したモードの情報をフラッシュメモリ２０９にモード情報として記憶する。
【００８２】
３．２  設定情報の設定
図１７のフローチャートを用いて、本実施の形態のデジタルカメラ１における設定情報の設定動作の一例を説明する。デジタルカメラ１が「静止画撮影モード」に設定された場合の動作例を説明する。以下では、液晶モニタ２０５に画像が表示されるよう設定されているとするが、ビューファインダー２０６に画像が表示される場合も同様である。
【００８３】
ＣＰＵ２１１は、現在の操作モードが第１モードか否かを判断する（Ｂ１）。この判断は、フラッシュメモリ２０９に記憶されたモード情報を読み出すことによってなされる。
【００８４】
現在の操作モードが第１モードである場合、ステップＢ２に進む。ステップＢ２では、ＣＰＵ２１１はＣＭＯＳセンサ２０１で順次生成される画像データを液晶モニタ２０５にスルー画像として順次表示させる（図１８（Ａ）参照）。
【００８５】
その後、ＣＰＵ２１１は、クイック設定釦２３０から操作信号を受け付けると（Ｂ３）、項目画像２０を、スルー画像を含む画像に重畳して液晶モニタ２０５に表示させる（Ｂ４）（図１８（Ｂ）参照）。
【００８６】
ＣＰＵ２１１は、使用者によるダイヤル２３１の操作に応じて、項目画像２０が示す複数の設定項目の中から一つを選択し、決定する（Ｂ５）。すなわち、ＣＰＵ２１１は、ダイヤル２３１の回動操作に応じて一つの項目を選択する。ＣＰＵ２１１は、選択された項目を、選択されなかった項目と区別できるようにグレー表示する。ＣＰＵ２１１は、ダイヤル２３１の押下操作により、その選択されている項目を最終的に選択された項目として決定する。
【００８７】
このようにＣＰＵ２１１は、ダイヤル２３１からの左回動を示す操作信号、右回動を示す操作信号、及び、押下を示す操作信号に応じて、液晶モニタ２０５の表示を制御している。
【００８８】
ＣＰＵ２１１は項目を決定すると、図１９（Ａ）に示すように、第１設定情報画像３１を液晶モニタ２０５に表示させる（Ｂ６）。ＣＰＵ２１１は、ダイヤル２３１に対する操作に応じて、複数の設定情報の中の一つを選択して自装置に設定する（Ｂ７）。ＣＰＵ２１１は、ダイヤル２３１の回動操作に応じて設定情報を選択し、ダイヤル２３１の押下動作により、選択された設定情報を、最終的に選択された設定情報として決定する。ＣＰＵ２１１は、このようにして決定された設定情報に基づいてデジタルカメラ１の設定を行う（Ｂ１４）。
【００８９】
一方、現在の操作モードが第２モードである場合、ステップＢ８に進む。ステップＢ８では、ＣＰＵ２１１はＣＭＯＳセンサ２０１で順次生成される画像データを液晶モニタ２０５に順次スルー画像として表示させる（Ｂ８）（図２０（Ａ）参照）。このとき、液晶モニタ２０５で表示される画像（図２０（Ａ）参照）の表示方法は、第１モードで表示される画像（図１８（Ａ）参照）の表示方法とは異なっている。
【００９０】
ＣＰＵ２１１は、クイック設定釦２３０から操作信号を受け付けると（Ｂ９）、図２０（Ｂ）に示すように、項目画像２０を、スルー画像を含む画像に重畳して液晶モニタ２０５に表示させる（Ｂ１０）。
【００９１】
ＣＰＵ２１１は、十字キー２３２の操作に応じて、項目画像２０が示す複数の項目の中から一つを選択し、決定する（Ｂ１１）。すなわち、ＣＰＵ２１１は、十字キー２３２の左右方向を示す操作に応じて、一つの項目を選択する。そして、十字キー２３２の上方向を示す操作に応じて、その選択されている項目を最終的に選択された項目として決定する。
【００９２】
このようにＣＰＵ２１１は、十字キー２３２からの左方向を示す操作信号、右方向を示す操作信号及び押下を示す操作信号に応じて、液晶モニタ２０５の表示を制御している。
【００９３】
ＣＰＵ２１１は項目を決定すると、図１９（Ｂ）に示すように、第２設定情報画像３２を液晶モニタ２０５に表示させる（Ｂ１２）。ＣＰＵ２１１は、十字キー２３２に対する操作に応じて、複数の設定情報の中から一つを選択して、決定する（Ｂ１３）。具体的には、ＣＰＵ２１１は、十字キー２３２の上下方向を示す操作に応じて設定情報を選択し、十字キー２３２の中央キー２３ｅに対する押下操作（決定を示す操作）に応じて、選択されている設定情報を最終的に選択された設定情報として決定する。ＣＰＵ２１１は、このようにして決定された設定情報に基づいてデジタルカメラ１の設定を行う（Ｂ１４）。
【００９４】
以上のように、本実施の形態では、操作モードに応じて、操作部材と設定情報画像とを対応づけることにより、使用者による直感的な操作を可能とし、使い勝手のよい撮像装置を実現できる。
【００９５】
（実施の形態３）
本実施の形態のデジタルカメラは、設定項目を選択、決定する際に実際に操作された操作部材に応じて、表示する設定情報画像３１、３２を変更する。具体的には、設定項目を選択、決定する際に操作された操作部材がダイヤル２３１である場合、液晶モニタ２０５または電子ビューファインダー２０６には、設定情報が左右方向に配置される第１設定情報画像３１が表示される。一方、設定項目を選択、決定する際に操作された操作部材が十字キー２３２である場合、液晶モニタ２０５または電子ビューファインダー２０６には、設定情報が上下方向に配置される第２設定情報画像３２が表示される。
【００９６】
さらに、本実施形態のデジタルカメラは、設定項目決定後の設定情報を選択する際に使用可能な部材として、設定項目を決定する際に操作された操作部材を設定する。
【００９７】
図２１に、本実施の形態における各操作と、各操作において使用可能な操作部材との関係を示す。同図に示すように、設定項目の選択及び決定の操作については、ダイヤル２３１及び十字キー２３２が使用できる。しかし、設定情報の選択及び決定の操作においては、設定項目の決定操作においてダイヤル２３１が使用された場合、ダイヤル２３１のみが操作可能となり、設定項目の決定操作において十字キー２３２が使用された場合は、十字キー２３２のみが操作可能となる。すなわち、設定項目を決定する際に操作された部材がダイヤル２３１である場合、設定情報を選択する際に操作する部材としてダイヤル２３１が設定される（図２１の□）。一方、項目を決定する際に操作された部材が十字キー２３２である場合、設定情報を選択する際に操作する部材として十字キー２３２が設定される（図２１の△）。
【００９８】
上記のように構成したデジタルカメラ１の動作例を、図２２のフローチャートを用いて説明する。以下では、デジタルカメラ１が「静止画撮影モード」に設定された場合の動作例を説明する。また、液晶モニタ２０５に画像が表示されるように設定されているとする。実施の形態１と同様の構成、動作については説明を省略する。
【００９９】
ＣＰＵ２１１は、ＣＭＯＳセンサ２０１が生成した画像データをスルー画像として、液晶モニタ２０５に表示させる（図２３（Ａ）参照）。具体的には、ＣＰＵ２１１は、ＣＭＯＳセンサ２０１で順次生成される画像データを液晶モニタ２０５に順次表示させる（Ｃ１）。
【０１００】
その後、ＣＰＵ２１１は、クイック設定釦２３０から操作信号を受け付けると（Ｃ２）、図２３（Ｂ）に示すように、項目画像２０を、スルー画像を含む画像に重畳して液晶モニタ２０５に表示させる（Ｃ３）。
【０１０１】
ＣＰＵ２１１は、使用者によるダイヤル２３１又は十字キー２３２の操作に応じて、項目画像２０が示す複数の設定項目の中から一つを選択し、決定する（Ｃ４）。すなわち、ＣＰＵ２１１は、ダイヤル２３１の回動操作又は十字キー２３２の左右キー２３ｃ、２３ｄの操作に応じて設定項目を選択する。その後、ＣＰＵ２１１は、ダイヤル２３１の押下操作又は十字キー２３２の上キー２３ａの操作に応じて、選択されている項目を、最終的に選択された設定項目として決定する。
【０１０２】
ＣＰＵ２１１は、設定項目の決定時に使用された操作部材がダイヤル２３１か十字キー２３２かを判別する（Ｃ５）。ＣＰＵ２１１は、設定項目の決定がダイヤル２３１によりなされたと判断した場合、図２３（Ｃ）に示すように第１設定情報画像３１を液晶モニタ２０５に表示させる（Ｃ６）。この場合、ダイヤル２３１の操作方向と第１設定情報画像３１の選択方向が同じであるため、使用者は直感的な操作が可能となる。
【０１０３】
その後、ＣＰＵ２１１は、ダイヤル２３１に対する操作に応じて、複数の設定情報の中から一つを選択し、設定する（Ｃ７）。すなわち、ＣＰＵ２１１は、ダイヤル２３１の回動操作に応じて設定情報を選択し、ダイヤル２３１の押下操作に応じて設定情報を決定する。ＣＰＵ２１１は、このようにして決定された設定情報に基づいてデジタルカメラ１の構成要素を制御する（Ｃ１０）。
【０１０４】
一方、ステップＣ５において、ＣＰＵ２１１は、設定項目の決定が十字キー２３２によりなされたと判断した場合、図２３（Ｄ）に示すように第２設定情報画像３２を液晶モニタ２０５に表示させる（Ｃ８）。この場合、十字キー２３２の操作方向と第２設定情報画像３２の選択方向が同じであるため、使用者は直感的な操作が可能となる。
【０１０５】
その後、ＣＰＵ２１１は、十字キー２３２に対する操作に応じて複数の設定情報の中から一つを選択し、決定する（Ｃ９）。具体的には、ＣＰＵ２１１は、十字キー２３２の上下キー２３ａ、２３ｂの操作に応じて設定情報を選択し、十字キー２３２の中央キー２３ｅの押下操作に応じて設定情報を決定する。ＣＰＵ２１１は、このようにして決定された設定情報に基づいて、デジタルカメラ１の構成要素を制御する（Ｃ１０）。
【０１０６】
以上のように、操作部材と設定情報画像とを対応づけることで、使用者の直感的な操作が可能となり、設定操作時の利便性が向上する。
【０１０７】
（他の実施の形態）
本発明の実施の形態として実施の形態１〜３を例示した。しかし、本発明は、これらの実施の形態に限定されず、他の実施の形態においても実現可能である。そこで、本発明の他の実施の形態を以下まとめて説明する。
【０１０８】
実施の形態１では、電子ビューファインダー２０６に設定情報画像を表示させる場合と、液晶モニタ２０５に設定情報画像を表示させる場合とで、設定情報を選択する際に使用できる部材を異ならせるようにした。例えば、電子ビューファインダー２０６に画像を表示している場合、ＣＰＵ２１１は、ダイヤル２３１に対する操作に応じて設定情報を選択する。一方、液晶モニタ２０５に画像を表示させている場合、ＣＰＵ２１１は、十字キー２３２に対する操作に応じて設定情報を選択する。表示手段と操作部材との対応付けは上記の例に限定されない。例えば、電子ビューファインダー２０６に画像を表示している場合、十字キー２３２に対する操作に応じて設定情報を選択し、液晶モニタ２０５に画像を表示している場合、ダイヤル２３１に対する操作に応じて設定情報を選択するようにしてもよい。
【０１０９】
実施の形態２で示した第１モードにおける各操作と、各操作において使用可能な操作部材との関係を、図２４に示すような関係としてもよい。すなわち、第１モードの場合、ダイヤル２３１のみならず、十字キー２３２によっても項目の選択と決定の操作を可能としてもよい。具体的には、十字キー２３２の左右キー２３ｃ、２３ｄの操作に応じて設定項目を選択し、十字キーの中央キー２３ｅの操作に応じて設定項目を決定できるようにしてもよい。この場合、第１設定情報画像３１を液晶モニタ２０５等に表示させてもよい。さらに、十字キー２３２の左右キー２３ｃ、２３ｄの操作に応じて設定情報を選択し、十字キーの中央キー２３ｅの操作に応じて設定情報を決定するようにしてもよい。
【０１１０】
また、上記実施の形態において、液晶モニタの代わりに有機ＥＬディスプレイを使用してもよい。
【０１１１】
また、上記実施の形態では、十字キー２３２やダイヤル２３１を操作部材の一例として説明を行なった。操作部材として、他に、ジョグダイヤル、ズームレバー等も考えられる。つまり、デジタルカメラ１に対して使用者からの上下左右方向を示す操作信号を送信できるものであれば、任意の操作部材が使用できる。
【０１１２】
また、上記実施の形態では、ダイヤル操作の左右方向の回動動作に連動して、左右方向に並べられた項目の選択を行うようにしたが、左右方向の回動動作に連動して、上下方向に並べられた項目の選択を行うようにしてもよい。
【０１１３】
同様に、ダイヤル操作の上下方向の回動動作に連動し、左右方向に並べられた項目の選択を行うようにしてもよいし、上下方向に並べられた項目の選択を行うようにしてもよい。
【０１１４】
さらに、上記実施の形態では、２つの操作部材の組み合わせとして、ダイヤルと十字キーの組み合わせを用いたが、ダイヤルとダイヤル、十字キーと十字キー、ダイヤルと左右キー、ダイヤルと上下キーのような組み合わせでもよい。または、２つの操作部材として、ダイヤル、十字キー、左右キー、上下キーを含むグループの中の、２種類（同じ種類の組み合わせ含む）を選択して組み合わせてもよい。
【０１１５】
実施の形態１、３では、液晶モニタ２０５に画像が表示されるよう設定された場合を説明したが、電子ビューファインダー２０６に画像が表示されるよう設定された場合も同様である。
【０１１６】
また、液晶モニタ２０５と電子ビューファインダー２０６の切り替えについては、アイセンサ２４０を用いて行ってもよい。アイセンサ２４０はユーザが電子ビューファインダー２０６を覗いているか否かを検出する。アイセンサ２４０によりユーザが検知された場合は電子ビューファインダー２０６に画像が表示され、ユーザが検知されない場合は液晶モニタ２０５に画像が表示されることとしてもよい。
【０１１７】
上記の実施の形態は以下の構成の撮像装置も開示する。
表示手段と、
第１の操作手段と、
第２の操作手段と、
前記第１の操作手段または第２の操作手段が操作されたときに、その操作に応じて、撮像装置の設定項目の中の所定の設定項目について、複数の設定値候補を表示するように表示手段を制御する制御手段とを備え、
前記制御手段は、前記第１の操作手段が操作される場合と、前記第２の操作手段が操作される場合との間で、表示される設定項目及びその設定値候補は共通する一方、設定項目及びその設定値候補の表示方法が異なるように、前記表示手段を制御する、
撮像装置。
【０１１８】
（用語の対応）
デジタルカメラ１は撮像装置の一例である。液晶モニタ２０５や電子ビューファインダー２０６は表示手段の一例である。ＣＰＵ２１１は制御手段、選択手段の一例である。ダイヤル２３１は第１操作部材の一例である。十字キー２３２は第２操作部材の一例である。
【産業上の利用可能性】
【０１１９】
本発明は、複数の表示手段及び複数の操作部材を備える情報機器に適用可能である。例えば、本発明は、デジタルカメラ等の撮像装置やＰＤＡ等の情報表示端末に適用可能である。【０１２０】
本発明は、特定の実施形態について説明されたが、当業者にとっては他の多くの変形例、修正、他の利用が明らかである。それゆえ、本発明は、ここでの特定の開示に限定されず、添付の請求の範囲によってのみ限定され得る。
【符号の説明】
【０１２１】
１  デジタルカメラ
２  カメラ本体
３  交換レンズ
２０１  ＣＭＯＳセンサ
２０４  バッファメモリ
２０５  液晶モニタ
２０６  電子ビューファインダー
２０９  フラッシュメモリ
２１１  ＣＰＵ
２１２  シャッタスイッチ
２１７  表示切り替え手段
２１８  メモリカード
２３０  クイック設定釦
２３１  ダイヤル
２３２  十字キー
２３４  切り替えスイッチ
２３５  モード切り替えダイヤル
【図１】
2010029767.tif 000003
【図２】
2010029767.tif 000004
【図３】
2010029767.tif 000005
【図４】
2010029767.tif 000006
【図５】
2010029767.tif 000007
【図６】
2010029767.tif 000008
【図７】
2010029767.tif 000009
【図８】
2010029767.tif 000010
【図９】
2010029767.tif 000011
【図１０】
2010029767.tif 000012
【図１１】
2010029767.tif 000013
【図１２】
2010029767.tif 000014
【図１３】
2010029767.tif 000015
【図１４】
2010029767.tif 000016
【図１５】
2010029767.tif 000017
【図１６】
2010029767.tif 000018
【図１７】
2010029767.tif 000019
【図１８】
2010029767.tif 000020
【図１９】
2010029767.tif 000021
【図２０】
2010029767.tif 000022
【図２１】
2010029767.tif 000023
【図２２】
2010029767.tif 000024
【図２３】
2010029767.tif 000025
【図２４】
2010029767.tif 000026
【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
第１の表示手段と、
第２の表示手段と、
前記第１及び第２の表示手段における、種々の設定を変更するための設定画面の表示を制御する制御手段と、を備え、
前記制御手段は、前記第１の表示手段に表示させる設定画面と、前記第２の表示手段に表示させる設定画面とを異ならせるように設定画面の表示を制御し、
前記設定画面は、所定の設定項目と、各設定項目に関する設定値の候補とを配置した画像を含み、
前記制御手段は、前記第１の表示手段に表示される設定画面と前記第２の表示手段に表示される設定画面とにおいて、表示される設定項目及び設定値の候補の種類を共通とし、
前記設定項目の配置方向は同一で、前記設定値の候補の配置方向が異なるように、設定画面の表示を制御する、
撮像装置。
【請求項２】
左右方向の回動操作及び押下操作を受付け、各操作に対応した信号を出力する操作部材である第１の操作手段と、
上下方向の操作を受付け、各操作に対応した信号を出力する操作部材である第２の操作手段と
をさらに備える、
請求項１記載の撮像装置。
【請求項３】
前記第１の表示手段に表示される設定画面は、前記設定値の候補を左右方向に選択可能に配置した画像であり、
前記第２の表示手段に表示される設定画面は、前記設定値の候補を上下方向に選択可能に配置した画像である、
請求項１または２に記載の撮像装置。
【請求項４】
前記第１の表示手段は、画像を表示する表示装置が撮像装置の本体内部に設けられ、前記第２の表示手段は、画像を表示する表示装置が撮像装置の本体外部に設けられた、請求項１記載の撮像装置。
【請求項５】
前記設定項目は、絞り値、ＩＳＯ感度、シャッタスピード、及び、ホワイトバランスのうちの少なくとも１つを含む、請求項１記載の撮像装置。
【手続補正２】
【補正対象書類名】明細書
【補正対象項目名】全文
【補正方法】変更
【補正の内容】
【発明の詳細な説明】
【技術分野】
【０００１】
本発明は、画像を撮像し画像データを生成する撮像装置に関し、特に、表示手段を備え、表示手段において種々の設定を行うための設定画面を表示可能な撮像装置に関する。
【背景技術】
【０００２】
ビデオカメラやデジタルスチルカメラのような撮像装置に対して、使用者は種々の設定を行うことができる。通常、設定は撮像装置の表示手段上に表示された設定画面を使用して行われる。
【０００３】
例えば、特許文献１は、表示手段上に表示された設定画面を見ながら撮像装置の設定を可能とする撮像装置（ビデオカメラ）を開示する。特許文献１の撮像装置は、カメラ本体に対して出没自在に設けられたマニュアル調整部（操作部）と、ＣＣＤで撮像した画像や設定を行うための設定画面を表示するビューファインダーとを備える。マニュアル調整部は、プッシュと回転により操作されるダイヤルを備える。使用者はこのダイヤルを操作することにより、ビューファインダーを覗きながら、種々のマニュアル調整（明るさ、オートフォーカス等）及びメニュー選択を迅速かつ簡単に操作できる。
【０００４】
一方、撮像装置には複数の表示手段を備えたものがある。例えば、表示手段として、ビューファインダーのみならず液晶ディスプレイを備えた撮像装置がある。使用者の利便性を考慮すると、このような複数の表示手段を備えた撮像装置について、ビューファインダーと液晶ディスプレイの双方の表示手段において設定画面を用いて設定を行えるように構成されることが好ましいと考えられる。
【先行技術文献】
【特許文献】
【０００５】
【特許文献１】特開平８−４３８９９号公報
【発明の概要】
【発明が解決しようとする課題】
【０００６】
しかしながら、ビューファインダー及び液晶モニタはそれぞれ使い勝手が異なる。このため、それぞれの表示手段上で同じ操作部材、同じ設定画面を用いて設定を行うことが、必ずしも使用者にとって使い勝手のよくなるとは限られない。
【０００７】
本発明は、上記課題を考慮してなされたものであり、撮像装置の設定操作において使用者にとって使い勝手のよい撮像装置を提供することを目的とする。
【課題を解決するための手段】
【０００８】
本発明に係る撮像装置は、第１の表示手段と、第２の表示手段と、第１及び第２の表示手段における、種々の設定を変更するための設定画面の表示を制御する制御手段と、を備える。制御手段は、第１の表示手段に表示させる設定画面と、第２の表示手段に表示させる設定画面とを異ならせるように設定画面の表示を制御する。設定画面は、所定の設定項目と、各設定項目に関する設定値の候補とを配置した画像を含む。制御手段は、第１の表示手段に表示される設定画面と第２の表示手段に表示される設定画面とにおいて、表示される設定項目及び設定値の候補の種類を共通とし、設定項目の配置方向は同一で、設定値の候補の配置方向が異なるように、設定画面の表示を制御する。
【発明の効果】
【０００９】
本発明によれば、操作時に画像を表示する表示手段に応じて、複数の設定情報の中から１つの設定情報を選択する際に表示させる設定情報画像を異なるようにした。これにより、情報の選択操作において、表示手段に応じた、より直感的な使用者による操作を可能とする、使い勝手のよい撮像装置を提供できる。
【図面の簡単な説明】
【００１０】
【図１】本実施の形態１に係るデジタルカメラの上面及び背面図
【図２】本実施の形態１に係るデジタルカメラのブロック図
【図３】本実施の形態１に係るダイヤル及び十字キーの操作を説明するための図
【図４】本実施の形態１に係る表示画像の一例を示す図
【図５】本実施の形態１に係る表示画像の一例を示す図
【図６】本実施の形態１に係る第１設定情報画像及び第２設定情報画像を説明するための図
【図７】本実施の形態１に係る表示画像の一例を示す図
【図８】本実施の形態１に係る表示画像の一例を示す図
【図９】本実施の形態１に係る操作部材の操作に対する動作の割り当てを説明するための図
【図１０】本実施の形態１に係るデジタルカメラ１の動作例を説明するためのフローチャート
【図１１】本実施の形態１に係る表示画像の一例を示す図
【図１２】本実施の形態１に係る表示画像の一例を示す図
【図１３】本実施の形態１に係る表示画像の一例を示す図
【図１４】本実施の形態１に係る表示画像の一例を示す図
【図１５】本実施の形態２に係る操作部材の操作に対する動作の割り当てを説明するための図
【図１６】本実施の形態１に係る第１又は第２モードの設定を説明するための図
【図１７】本実施の形態２に係るデジタルカメラ１の動作例を説明するためのフローチャート
【図１８】本実施の形態２に係る表示画像の一例を示す図
【図１９】本実施の形態２に係る表示画像の一例を示す図
【図２０】本実施の形態２に係る表示画像の一例を示す図
【図２１】本実施の形態３に係る操作部材の操作に対する動作の割り当てを説明するための図
【図２２】本実施の形態３に係るデジタルカメラ１の動作例を説明するためのフローチャート
【図２３】本実施の形態３に係る表示画面の一例を説明するための図
【図２４】他の実施の形態に係る操作部材の操作に対する動作の割り当てを説明するための図
【発明を実施するための形態】
【００１１】
以下、図面を参照して本発明の実施の形態を説明する。以下では、本発明の思想をデジタルカメラに適用した例を説明する。
【００１２】
（実施の形態１）
１．構成
１−１  デジタルカメラの構成
図１は、本実施の形態のデジタルカメラ１の外観図である。図２は、本実施の形態のデジタルカメラ１の構成図である。
【００１３】
図１に示すように、本実施の形態のデジタルカメラ１は、カメラ本体２と、カメラ本体２に着脱可能な交換レンズ３とを備える。
【００１４】
図２に示すように、カメラ本体２はＣＭＯＳセンサ２０１、シャッタ２０２、信号処理プロセッサ２０３（ＤＳＰ）、バッファメモリ２０４、液晶モニタ２０５、電子ビューファインダー２０６（ＥＶＦ）、電源２０７、ボディマウント２０８、フラッシュメモリ２０９、カードスロット２１０、ＣＰＵ２１１、シャッタスイッチ２１２、ストロボ２１３、マイク２１４、スピーカー２１５、クイック設定釦２３０、ダイヤル２３１及び十字キー２３２を備える。
【００１５】
また交換レンズ３は、レンズマウント３０１、ズームレンズ３０３やフォーカスレンズ３０４を含むレンズ系、ズームレンズ３０３を駆動させるズーム駆動部３０５、フォーカスレンズ３０４を駆動させるフォーカス駆動部３０６、絞り３０７、絞り３０７を駆動させる絞り駆動部３０８、ズームリング３０９、フォーカスリング３１０、カメラ本体２から指示を受け付けるレンズコントローラ３１１、および、フラッシュメモリ３１２と、を備える。以下、カメラ本体２及び交換レンズ３の構成についてより詳細に説明する。
【００１６】
１−２  カメラ本体の構成
カメラ本体２は、交換レンズ３のレンズ系によって集光された被写体像を撮像して、画像データとして記録するように構成されている。
【００１７】
ＣＭＯＳセンサ２０１は、受光素子と、ＡＧＣ（ゲイン・コントロール・アンプ）と、ＡＤコンバータとを含む。受光素子は、レンズ系によって集光された光学的信号を電気信号に変換し、画像データを生成する。ＡＧＣは、ＣＭＯＳセンサ２０１から出力された電気信号を増幅する。ＡＤコンバータは、ＣＭＯＳセンサ２０１から出力されたアナログ電気信号をデジタル信号に変換する。ＣＭＯＳセンサ２０１は、ＣＰＵ２１１から受信した制御信号に従って、露光、転送、電子シャッタなどの各種の動作を行う。
【００１８】
メカシャッタ２０２は、レンズ系を介して入射した光学的信号のＣＭＯＳセンサ２０１に対する遮断又は通過を切替える。
【００１９】
信号処理プロセッサ２０３（ＤＳＰ）は、ＡＤコンバータによってデジタル信号に変換された画像データに所定の画像処理を施す。所定の画像処理には、ガンマ変換、ＹＣ変換、電子ズーム処理、圧縮処理、伸張処理等が含まれるが、これらに限定されるものではない。
【００２０】
バッファメモリ２０４は、信号処理プロセッサ２０３で処理を行う際、および、ＣＰＵ２１１で制御処理を行う際にワークメモリとして機能する。バッファメモリ２０４は、例えば、ＤＲＡＭなどで実現可能である。
【００２１】
液晶モニタ２０５は、カメラ本体２の背面に配置され、ＣＭＯＳセンサ２０１で生成された画像データまたはその画像データに所定の処理が施された画像データを表示可能である。液晶モニタ２０５に入力される画像信号は、信号処理プロセッサ２０３又はＣＰＵ２１１から液晶モニタ２０５に出力される際、ＤＡコンバータによってデジタル信号からアナログ信号に変換される。
【００２２】
電子ビューファインダー２０６はカメラ本体２内部に配置され、ＣＭＯＳセンサ２０１で生成された画像データまたはその画像データに所定の処理が施された画像データを表示可能である。電子ビューファインダー２０６は、液晶ディスプレイと視度調整レンズなどを備えて構成される。なお、電子ビューファインダー２０６に入力される画像信号も同様に、信号処理プロセッサ２０３から電子ビューファインダー２０６に出力される際、ＤＡコンバータによってデジタル信号からアナログ信号に変換される。電子ビューファインダー２０６はカメラ本体２内部に配置されていることから、使用者はカメラ本体２内を覗き込むことで、電子ビューファインダー２０６に表示された画像を視認できる。
【００２３】
液晶モニタ２０５と電子ビューファインダー２０６は、表示切替手段２１７によって、いずれか一方にのみ画像が表示されるように切り替えられる。すなわち、液晶モニタ２０５に画像が表示されている間は、電子ビューファインダー２０６には画像が表示されず、電子ビューファインダー２０６に画像が表示されている間は、液晶モニタ２０５に画像は表示されないように構成されている。表示切替手段２１７（図１参照）は物理的な部材で実現でき、切替スイッチ２３４（図２参照）に対応する。表示切替手段２１７（切替スイッチ２３４）は、信号処理プロセッサ２０３に対して、液晶モニタ２０５及び電子ビューファインダー２０６のいずれかが電気的に接続されるように接続を切り替える。すなわち、切替スイッチ２３４によって、画像を表示する表示手段を、液晶モニタ２０５と電子ビューファインダー２０６の間で切り替えることができる。なお、上記の例に限られず、ＣＰＵ２１１等からの制御信号に基づいて、液晶モニタ２０５と電子ビューファインダー２０６への表示の切り替えを行なってもよい。
【００２４】
以上のように、液晶モニタへの表示と、電気ビューファインダーへの表示とを切り替えるように構成されている。但し、これは、一例であり、液晶モニタへの表示と、電子ビューファインダーへの表示を同時に行なうようにしてもかまわない。ここで、同時に表示する場合、液晶モニタに表示する画像と、電子ビューファンダーへ表示する画像は、同じ画像であっても、違う画像であってもかまわない。
【００２５】
電池２０７は、デジタルカメラ１を駆動するための電力を供給する。電池２０７は、例えば乾電池であってもよいし、充電池であってもよい。また、電池２０７の代わりに、コードを介して外部から供給される電力を電源としてデジタルカメラ１に供給するようにしてもよい。
【００２６】
ボディマウント２０８は、交換レンズ３のレンズマウント３０１と相俟って、交換レンズ３の着脱を可能にする部材である。
【００２７】
フラッシュメモリ２０９は、内蔵メモリとして用いられる記憶媒体である。フラッシュメモリ２０９は、画像データまたはその画像データに所定の処理が施された画像データを記憶可能である。
【００２８】
また、フラッシュメモリ２０９は、項目画像及び設定情報画像を記憶可能である。さらに、フラッシュメモリ２０９は、ＣＰＵ２１１の制御のためのプログラムや設定値などを記憶可能である。
【００２９】
カードスロット２１０は、メモリカード２１８を着脱するためのスロットである。メモリカード２１８は、画像データ等が記憶可能である。
【００３０】
ＣＰＵ２１１は、カメラ本体２の全体を制御する。ＣＰＵ２１１は、マイクロコンピュータで実現してもよく、ハードワイヤードな回路で実現してもよい。すなわち、ＣＰＵ２１１は各種の制御を実行する。
【００３１】
シャッタスイッチ２１２は、カメラ本体２の上面に設けられた釦であり、使用者の半押しおよび全押し操作を検知する。シャッタスイッチ２１２は、使用者の半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。
【００３２】
クイック設定釦２３０は、カメラ本体２の上面に設けられる。クイック設定釦２３０は、使用者からの押下を受け付けると、操作信号をＣＰＵ２１１に送信する。クイック設定釦２３０は、デジタルカメラ１の種々の設定項目の中のいくつかの項目についての設定を可能とするための画像（項目画像）を液晶モニタ２０５または電子ビューファインダー０２６に表示させるためのボタンである。クイック設定釦２３０が押下されると、液晶モニタ２０５または電子ビューファインダー２０６上で、スルー画像にメニューが重畳表示されるクイックメニューが表示される。
【００３３】
ダイヤル２３１はカメラ本体２の把持部に設けられる操作部材である（図１参照）。ダイヤル２３１は図３（Ａ）に示すようにカメラ本体２の左右方向に対して回動可能である。また、ダイヤル２３１は図３（Ｂ）に示すようにカメラ本体２の背面方向に対して押下可能である。ダイヤル２３１は使用者によって操作されると、その操作に応じてＣＰＵ２１１に操作信号を送信する。すなわち、ダイヤル２３１は左方向に回動されると、左回動を示す操作信号を送信する。ダイヤル２３１は右方向に回動されると、右回動を示す操作信号を送信する。さらに、ダイヤル２３１は背面方向に押下操作されると、押下を示す操作信号を送信する。
【００３４】
十字キー２３２はカメラ本体２の背面に設けられる操作部材である（図１参照）。十字キー２３２は、図３（Ｃ）に示すように、上下左右に配置される４つのキー２３ａ〜２３ｄを有する。さらに十字キー２３２は上下左右キー２３ａ〜２３ｄの中央に配置された中央キー２３ｅを有する。各キー２３ａ〜２３ｅはそれぞれスイッチングデバイスの上部に配置された部材からなり、この部材が操作されることで押下を検知する。十字キー２３２は５つのキー２３ａ〜２３ｅの何れかが押下されると、ＣＰＵ２１１に操作信号を送信する。すなわち、上方向に配置された上キー２３ａが押下されると、上方向を示す操作信号が送信される。同様に、下方向に配置された下キー２３ｂが押下されると、下方向を示す操作信号が送信される。左方向に配置された左キー２３ｃが押下されると、左方向を示す操作信号が送信される。右方向に配置された右キー２３ｄが押下されると、右方向を示す操作信号が送信される。中央キー２３ｅが押下されると、決定を示す操作信号がＣＰＵ２１１に送信される。なお、十字キー２３２の各キー２３ａ〜２３ｄに対するスイッチングデバイスの上部に設けられる部材は、一つの部材で上下左右方向に対する操作を受け付けるものであってもよいし、上下左右方向において別々の部材で構成され、各方向に対する操作を受け付けるものであってもよい。本実施の形態では別々の部材で構成されているとする。
【００３５】
カメラ本体２はモード切り替えダイヤル２３５を備える。モード切り替えダイヤル２３５は略円形形状で構成され、使用者が回動操作することによって、複数の制御モードの中から一つの制御モードを選択できるように構成されている。すなわち、モード切り替えダイヤル２３５は、複数の制御モードの中の一つを選択できるようにするため、制御モードに対応した、モード切替ダイヤル２３５の回転位置を検知できるようになっている。複数の制御モードには、「静止画撮影モード」、「動画撮影モード」、又は「再生モード」などが含まれる。例えば、モード切り替えダイヤル２３５の上面に記載された「静止画撮影モード」を示す画像が、所定の位置（選択位置）に移動されると、モード切り替えダイヤル２３５は、「静止画撮影モード」に変更されたことを示すモード切り替え信号をＣＰＵ２１１に出力する。これによって、制御モードの切り替えを検知できる。
【００３６】
１−３  交換レンズの構成
レンズ系は、ズームレンズ３０３とフォーカスレンズ３０４と対物レンズ３０２を含んで構成され、被写体からの光を集光する。ズームレンズ３０３は、ズーム駆動部３０５又はズームリング３０９によって駆動され、ズーム倍率を調整するものである。フォーカスレンズ３０４は、フォーカス駆動部３０６又はフォーカスリング３１０によって駆動され、ピントの調節を行なうようにしたものである。要するに、フォーカスレンズ３０４やズームレンズ３０３は可動レンズである。交換レンズ３は、従来技術と同様であるため、説明を割愛する。
【００３７】
２．項目画像及び設定情報画像
本実施形態では、液晶モニタ２０５に、デジタルカメラの種々の設定を行うための項目画像と設定情報画像が表示される。使用者は、項目画像または設定情報画像が表示された状態で操作部材（ダイヤル２３１、十字キー２３２）を操作することで、デジタルカメラ１に対して撮影条件等の種々の設定ができる。
【００３８】
項目画像は、複数の設定項目を表示した画像である。設定項目には、例えば、シャッタスピード、絞り値、ＩＳＯ感度、ホワイトバランス、ＡＦエリア、記録可能枚数、測光方法（重点測光、一部測光等）、及び、ストロボの制御方法等が含まれるが、これらに限られるものではない。液晶モニタ２０５または電子ビューファインダー２０６に項目画像が表示され、使用者によるダイヤル２３１又は十字キー２３２の操作にしたがい複数の設定項目の中から１つが選択されるようになっている。
【００３９】
図４（Ｂ）に項目画像の一例を示す。項目画像２０は複数の設定項目２１〜２４を含む。図４（Ｂ）では、設定項目として、絞り値２１、シャッタスピード２２、露出補正値２３及びＩＳＯ感度２４が表示されている。使用者は、操作部材を操作して、項目画像２０が示す複数の設定項目２１〜２４の中から一つを選択することができる。液晶モニタ２０５及び電子ビューファインダー２０６上では、項目画像２０（図４（Ｂ）参照）は、スルー画像を含む画像（図４（Ａ）参照）に重畳されて表示される。図５に、項目画像２０がスルー画像を含む画像に重畳されて表示された例を示す。図５に示すように、項目画像２０は、使用者によって選択されている項目と選択されていない他の項目とを色を変えて表示（例えば、グレー表示）する。
【００４０】
設定情報画像は、各設定項目に対応する複数の設定情報を含む。図６（Ａ）、（Ｂ）に設定情報画像の一例を示す。図６（Ａ）、（Ｂ）の設定情報画像３１、３２は、ＩＳＯ感度の設定項目に関する複数の設定値を表示している。図６（Ａ）、（Ｂ）では、ＩＳＯ感度の設定値の一例として、「ＡＵＴＯ」、「１００」、「２００」、「４００」、「８００」、「１６００」が選択可能に表示されている。カメラ本体２のＣＰＵ２１１は、使用者による操作部材の操作にしたがい、設定情報画像３１、３２が示す複数の設定情報（設定値）の中から一つを選択し、決定する。設定情報画像は、図６（Ａ）に示すような第１設定情報画像３１と、図６（Ｂ）に示すような第２設定情報画像３２を含む。第１設定情報画像３１では、電子ビューファインダー２０６や液晶モニタ２０５に対して、複数の設定値情報が左右方向（水平方向）に並べて配置される。また、第２設定情報画像３２は、複数の設定値情報が上下方向（鉛直方向）に並べて配置される。図７に、ＩＳＯ感度の設定項目に対する第１設定情報画像３１の表示例を示し、図８に、ＩＳＯ感度の設定項目に対する第２設定情報画像３２の表示例を示す。設定情報画像３１、３２において、使用者によって選択されている設定情報と、選択されていない設定情報とは表示方法（例えば、色）を異ならせて表示される。例えば、選択された設定情報はグレー表示される。
【００４１】
なお、項目画像と設定情報画像の画像データはフラッシュメモリ２０９に記憶されており、ＣＰＵ２１１はフラッシュメモリ２０９から項目画像及び設定情報画像の画像データを読み出し、液晶モニタ２０５または電子ビューファインダー２０６に表示させる。
【００４２】
３．動作
３．１  デジタルカメラの動作概要
本実施の形態のデジタルカメラ１は、使用する表示手段に応じて操作可能な操作部材を切り替えるように構成されている。図９(Ａ)、(Ｂ)に、使用する表示手段と、操作可能な操作部材との対応関係を示す。デジタルカメラ１が電子ビューファインダー２０６に画像が表示されるよう設定されている場合、図９（Ａ）に示すように、デジタルカメラ１は、ダイヤル２３１の操作に応じて、項目や設定情報の選択、決定を実施する。一方、デジタルカメラ１が液晶モニタ２０５に画像が表示されるよう設定されている場合、図９（Ｂ）に示すように、デジタルカメラ１は、十字キー２３２の操作に応じて、項目や設定情報の選択、決定を実施する。
【００４３】
以下、電子ビューファインダー２０６に画像（項目画像・設定情報画像等）を表示させるよう設定されている場合の動作と、液晶モニタ２０５に画像を表示させるよう設定されている場合の動作の概要をそれぞれ説明する。なお、この設定は、切替スイッチ２３４により切り替えることができる。
【００４４】
最初に、デジタルカメラ１が電子ビューファインダー２０６に画像を表示させるよう設定されている場合を説明する。図９（Ａ）に示すように、電子ビューファインダー２０６に画像を表示させる場合、操作部材はダイヤル２３１となる。
【００４５】
デジタルカメラ１は、電子ビューファインダー２０６に、設定項目を選択するための項目画像２０を表示する。この状態で、使用者によるダイヤル２３１の操作があると、ＣＰＵ２１１はその操作に応じて項目画像２０が示す複数の設定項目２１〜２４の中から１つを選択する。ＣＰＵ２１１は、選択された設定項目に関連する設定情報画像を電子ビューファインダー２０６に表示させる。本実施形態では、操作部材がダイヤル２３１である場合、設定項目に関する複数の設定情報がカメラ本体２の左右方向に並べて配置される第１設定情報画像３１が表示される。ＣＰＵ２１１は、第１設定情報画像３１が表示されると、使用者のダイヤル２３１に対する左右方向の操作に応じて、複数の設定情報の中から１つの設定情報を選択する。ＣＰＵ２１１は、選択した設定情報で設定を行なう。
【００４６】
次に、デジタルカメラ１が液晶モニタ２０５に画像を表示させるよう設定されている場合を説明する。図９（Ｂ）に示すように、液晶モニタ２０５に画像を表示させる場合、操作部材は十字キー２３２となる。
【００４７】
デジタルカメラ１は液晶モニタ２０５に項目画像２０を表示する。この状態で使用者の十字キー２３２に対する操作があると、ＣＰＵ２１１はその操作に応じて、項目画像の複数の項目から１つの設定項目を選択する。ＣＰＵ２１１は、選択された設定項目に関連する設定情報画像を液晶モニタ２０５に表示させる。本実施形態では、操作部材が十字キー２３２である場合、設定項目に関する複数の設定情報がカメラ本体２の上下方向に並べて配置される第２設定情報画像３２が表示される。ＣＰＵ２１１は、第２設定情報画像３２が表示されると、使用者の十字キー２３２に対する上下方向の操作に応じて、複数の設定情報の中から１つの設定情報を選択する。ＣＰＵ２１１は、選択した設定情報で設定を行う。
【００４８】
以上のように、本実施形態では、画像表示に使用する表示手段（電子ビューファインダー２０６または液晶モニタ２０５）に応じて操作部材（ダイヤル２３１または十字キー２３２）を切り替えるとともに、操作部材に応じて表示手段に表示させる設定情報画像も切り替えている。すなわち、画像表示に使用する表示手段（電子ビューファインダー２０６または液晶モニタ２０５）に応じて、表示手段に表示させる設定情報画像を切り替えている。
【００４９】
一般に電子ビューファインダー２０６に表示された画像を視認する場合、使用者はカメラ本体２に顔を接近させる必要があり、そのような状態では、使用者にとっては十字キー２３２よりもダイヤル２３１の方が使い勝手がよい。そのため、電子ビューファインダー２０６を使用する場合は、ダイヤル２３１を操作部材に設定する。さらに、ダイヤル２３１の操作方向は左右方向であることから、その操作方向と、設定項目または設定情報の選択方向とが一致するように第１設定情報画像３１を表示させるようにしている。一方、液晶モニタ２０５を使用する場合、使用者はカメラ本体２に顔を接近させずに画像を視認できる。そこで、液晶モニタ２０５を使用する場合、ダイヤル２３１よりもより操作の自由度の高い十字キー２３２を操作部材として設定するとともに、十字キー２３２の上下方向の操作方向と、設定項目等の選択方向とが一致するように第２設定情報画像３２を表示させるようにしている。
【００５０】
以上のように、表示手段に応じて操作部材を変更することで、より使い勝手のよい操作部材を設定でき、操作部材の操作方向に選択方向が一致した設定情報画像を表示することで、使用者による直感的な操作が可能となり、設定変更操作における使用者の利便性を向上することが可能となる。
【００５１】
３．２  デジタルカメラの詳細な動作
図１０のフローチャートを用いて、設定操作時におけるデジタルカメラ１の詳細な動作を説明する。以下では、デジタルカメラ１が「静止画撮影モード」に設定されている場合の動作例を説明する。また、電子ビューファインダー２０６に画像が表示されるように設定されている場合と、液晶モニタ２０５に画像が表示されるように設定されている場合の各々における動作を説明する。
【００５２】
３．２．１  電子ビューファインダーに画像が表示されるように設定されている場合
最初に、電子ビューファインダー２０６に画像が表示されるよう設定されている場合の、設定項目及び設定情報の選択／決定動作を説明する。
【００５３】
ＣＰＵ２１１は、ＣＭＯＳセンサ２０１が生成した画像データをスルー画像として、電子ビューファインダー２０６に表示させる。具体的には、ＣＰＵ２１１は、ＣＭＯＳセンサ２０１で順次生成される画像データを、電子ビューファインダー２０６に順次表示させる（図４（Ａ）参照）。
【００５４】
ＣＰＵ２１１は、クイック設定釦２３０から操作信号を受け付けると（Ａ１）、図４（Ｂ）に示すような項目画像２０を、スルー画像を含む画像に重畳して電子ビューファインダー２０６に表示させる（Ａ２）（図５参照）。なお、電子ビューファインダー２０６の液晶ディスプレイの下に独立の表示部材を設けてもよく、項目画像２０をその表示部材に表示させるようにしてもよい。
【００５５】
ＣＰＵ２１１は、複数の設定項目及び設定情報から１つの項目及び設定情報を選択する際に操作される部材がダイヤル２３１であるか十字キー２３２であるかを判断する（Ａ３）。電子ビューファインダー２０６に画像が表示されるとして設定されているため、操作される部材はダイヤル２１３となる。なお、ステップＡ３では、操作される部材がダイヤル２３１であるか十字キー２３２であるかを判断しているが、画像の表示手段が電子ビューファインダー２０６（ダイヤル２３１に対応）か液晶モニタ２０５（十字キー２３２に対応）であるかを判断してもよい。
【００５６】
よって、ステップＡ４に進み、ＣＰＵ２１１は、ダイヤル２３１の回動操作に応じて、複数の設定項目から一つを選択する（Ａ４）。そして、ＣＰＵ２１１は、ダイヤル２３１が押下操作されるまで（Ａ５）、ダイヤル２３１の回動操作による選択動作を継続する。
【００５７】
ここで、設定項目の選択及び決定動作について説明する。今、図５に示すような項目画像２０が電子ビューファインダー２０６に表示されているとする。使用者はダイヤル２３１をカメラ本体２に対して左右に回動することで、複数の設定項目２１〜２４の中から一つを選択する。選択された設定項目（図５では、ＩＳＯ感度の設定項目２４）はグレー表示される。より具体的には、使用者によりダイヤル２３１がカメラ本体２に対して左に回動されると、グレー表示されている項目が一つずつ左へ移動する。同様に、ダイヤル２３１がカメラ本体２に対して右に回動されると、グレー表示されている項目が一つずつ右へ移動する。この後、使用者は、ダイヤル２３１をカメラ本体２の背面方向に対して押下すると、グレー表示されている項目が、設定情報を選択するための項目として決定される。
【００５８】
以上の動作において、ＣＰＵ２１１は、ダイヤル２３１からの左回動を示す操作信号、右回動を示す操作信号または押下を示す操作信号を受け、操作信号に応じて電子ビューファインダー２０６の表示を制御している。
【００５９】
図１０のフローチャートに戻り、ＣＰＵ２１１は、項目画像２０から１つの設定項目が選択され決定されると、図７に示すような第１設定情報画像３１を、電子ビューファインダー２０６に表示させる（Ａ６）。そして、ＣＰＵ２１１は、ダイヤル２３１に対する操作に応じて、複数の設定情報から一つの設定情報を選択し、選択した設定情報で設定を行う（Ａ７）。
【００６０】
ダイヤル２３１の操作に応じた設定情報の選択方法は、前述の項目画像２０から項目を選択する方法と同様である。すなわち、ダイヤル２３１の回動で設定情報を選択し、ダイヤル２３１の押下で、選択した設定情報を、設定されるべき設定情報として決定する。
【００６１】
ＣＰＵ２１１は、このようにして決定された設定情報に基づいて、デジタルカメラ１の各部を設定する（Ａ１１）。例えば、ＣＰＵ２１１は、ＩＳＯ感度として「４００」を決定した場合、ＩＳＯ感度を「４００」にするための制御信号をＣＭＯＳセンサ２０１に送信する。ＣＭＯＳセンサ２０１はこの制御信号に基づいてＡＧＣの受光感度を調整する。これによって、決定された設定情報に基づいて各部の設定を行なうことが可能になる。ＩＳＯ感度以外の項目についても同様の方法で設定できる。
【００６２】
３．２．２  液晶モニタに画像が表示されるように設定されている場合
次に、液晶モニタ２０５に画像が表示されるよう設定されている場合の、設定項目及び設定情報の選択／決定動作を説明する。
【００６３】
ＣＰＵ２１１は、ＣＭＯＳセンサ２０１が生成した画像データをスルー画像として、液晶モニタ２０５に表示させる。具体的には、ＣＰＵ２１１は、ＣＭＯＳセンサ２０１で順次生成される画像データを、液晶モニタ２０５に順次表示させる（図１１（Ａ）参照）。
【００６４】
ＣＰＵ２１１は、クイック設定釦２３０から操作信号を受け付けると（Ａ１）、図１１（Ｂ）に示すような項目画像２０を、スルー画像を含む画像に重畳して電子ビューファインダー２０６に表示させる（Ａ２）。
【００６５】
ＣＰＵ２１１は、項目及び設定情報の選択／決定のために操作される部材がダイヤル２３１であるか十字キー２３２であるかを判断する（Ａ３）。ここでは、液晶モニタ２０５に画像が表示されるよう設定されているため、操作される部材は十字キー２１２となる。よって、ステップＡ８に進み、ＣＰＵ２１１は、十字キー２３２の左右方向を示す操作に応じて複数の設定項目から一つを選択する（Ａ８）。本実施の形態では、複数の設定項目の中から選択した項目に対応する第２設定情報画像を逐次表示するようにしている。つまり、十字キー２３２に対する左右方向の操作に応じて、選択されている設定項目が変更されると、その変更された設定項目に関連する第２設定情報画像が表示される。例えば、図１３に示すように、ＩＳＯ感度の設定項目２４が選択された場合、ＩＳＯ感度に関する設定値を含む第２設定情報画像３２が表示される。また、図１２に示すように、シャッタスピードの設定項目２２が選択されると、シャッタスピードに関連する設定値を含む第２設定情報画像３２が表示される。この後、ＣＰＵ２１１は、十字キー２３２の上方向を示す操作信号を受け付けるまで（Ａ９）、設定項目の選択動作を継続する。
【００６６】
十字キー２３２による設定項目の選択及び決定動作について詳細に説明する。今、図１２に示すような項目画像が液晶モニタ２０５に表示されたとする。この場合、使用者は、十字キー２３２の左右キー２３ｃ、２３ｄを押下することで、複数の設定項目から一つの項目を選択する。つまり、使用者が十字キー２３２の左キー２３ｃを押下すると、グレー表示されている設定項目が一つずつ左へ移動する。同様に、使用者が十字キー２３２の右キー２３ｄを押下すると、グレー表示されている設定項目が一つずつ右へ移動する。このとき、選択されている設定項目に関連する複数の設定情報が、第２設定情報画像３２として表示される（図１３参照）。この後、使用者が十字キー２３２の上キー２３ａを押下することで、設定情報の選択動作に移行することが可能である。従って、設定項目の選択から設定情報の選択に移行する際、素早い操作での移行が可能である。
【００６７】
ＣＰＵ２１１は、十字キー２３２からの左方向を示す操作信号、右方向を示す操作信号、及び、上方向を示す操作信号に応じて、液晶モニタ２０５の表示を制御している。
【００６８】
ＣＰＵ２１１は、十字キー２３２に対する上方向の操作を受け付けると、図１４に示すような画像を表示させる。すなわち、ＣＰＵ２１１は、図１４に示すように、設定情報画像３２が示す複数の設定情報の中の１つの設定情報（図１４では「１６００」）をグレー表示する。ＣＰＵ２１１は、十字キー２３２に対する上下操作に応じて、複数の設定情報から一つの設定情報を選択し、設定する（Ａ１０）。
【００６９】
次に、設定情報の選択動作について説明する。今、図１４に示すように設定情報画像３２が液晶モニタ２０５に表示されているとする。使用者は、十字キー２３２の上下キー２３ａ、２３ｂを押下することで、複数の設定情報から一つを選択する。つまり、使用者が十字キー２３２の上キー２３ａを押下すると、グレー表示されている設定情報が一つずつ上へ移動する。同様に、使用者が十字キー２３２の下キー２３ｂを押下すると、グレー表示されている設定情報が一つずつ下へ移動する。この後、使用者は十字キー２３２の中央キー２３ｅを押下すると、グレー表示されている設定情報が、制御に設定する設定情報として決定される。
【００７０】
ＣＰＵ２１１は、このようにして設定された設定情報に基づいて、デジタルカメラ１の設定を変更する（Ａ１１）。
【００７１】
４．まとめ
デジタルカメラ１は、液晶モニタ２０５と、電子ビューファインダー２０６と、液晶モニタ２０５と電子ビューファインダー２０６における種々の設定を変更するための設定画面の表示を制御するＣＰＵ２１１とを備える。ＣＰＵ２１１は、液晶モニタ２０５に表示させる第２設定情報画像３２と、電子ビューファインダー２０６に表示させる第１設定情報画像３１とを異ならせるように設定情報画像の表示を制御する。設定画像情報３１、３２は、所定の設定項目と、各設定項目に関する設定値の候補とを選択可能に配置した画像を含む。ＣＰＵ２１１は、電子ビューファインダー２０６に表示させる第１設定情報画像３１と液晶モニタ２０５に表示させる第２設定情報画像３２の間で、表示される設定項目及び設定値の候補の種類は共通するが、設定項目及び設定値の候補の表示方法が異なるように、設定画像情報３１、３２の表示を制御する。
【００７２】
この構成により、デジタルカメラ１は、情報を選択する際に、画像が表示される表示手段に応じた設定情報画像を、表示手段に表示することができるようになる。これによって、使用者はより直感的な操作を行なうことができるようになる。
【００７３】
本実施形態では、画像を表示する表示手段に応じて、操作可能な操作部材が設定されていたが、表示手段に対して操作部材を固定しなくてもよい。使用者は、画像が電子ビューファインダー２０６に表示されていれば、使い勝手の点からダイヤル２３１を使用し、画像が液晶モニタ２０５に表示されていれば、使い勝手の点から十字キー２３２を使用する機会が多いと考えられる。よって、画像が表示される表示手段に応じた設定情報画像を表示手段に表示させることで、自ずと使用者にとって直感的な操作が可能となり、使用者の利便性を向上できる。
【００７４】
（実施の形態２）
１．デジタルカメラの概要
本実施の形態では、デジタルカメラ１は、操作モードとして、第１モード及び第２モードを有する。第１モードでは、設定項目及び設定情報の選択／決定する際に操作される操作部材がダイヤル２３１に設定される。第２モードでは、設定項目及び設定情報の選択／決定する際に操作される操作部材が十字キー２３２に設定される。図１５（Ａ）、（Ｂ）に、各操作モードにおいて操作可能な操作部材を示す。つまり、ＣＰＵ２１１は、第１モードに設定された場合、図１５（Ａ）に示すように、ダイヤル２３１への操作に応じて設定項目や設定情報が選択されるように制御する一方、第２モードに設定された場合、図１５（Ｂ）に示すように、十字キー２３２への操作に応じて設定項目や設定情報が選択されるように制御する。さらに、操作モードに応じて、設定情報を選択するための設定情報画像を異ならせている。すなわち、第１モードの場合は第１の設定情報画像３１を表示し、第２モードの場合は第２の設定情報画像３２を表示する。
【００７５】
以下、第１モード及び第２モードそれぞれにおけるデジタルカメラ１の動作の概要を説明する。画像は液晶モニタ２０５に表示されるとする。
【００７６】
ＣＰＵ２１１は、第１モードに設定された場合、液晶モニタ２０５に項目画像２０を表示させる。第１モードに設定された場合、ＣＰＵ２１１は、使用者からのダイヤル２３１に対する操作に応じて複数の設定項目の中から１つを選択する。さらにデジタルカメラ１は、選択された設定項目に関連する設定情報を含む設定情報画像を液晶モニタ２０５に表示させる。すなわち、操作部材がダイヤル２３１であることから、複数の設定情報が左右方向に並べられて配置される第１設定情報画像３１が表示される。使用者のダイヤル２３１による左右方向の操作に応じて複数の設定情報の中から１つの設定情報が選択されると、ＣＰＵ２１１は、選択された設定情報で設定を行なう。
【００７７】
一方、第２モードに設定された場合、使用者の十字キー２３２による操作に応じて、複数の設定項目の中から１つの項目が選択される。デジタルカメラ１は、選択された項目に関連する設定情報を含む設定情報画像を液晶モニタ２０５に表示させる。すなわち、操作部材が十字キー２３２であることから、複数の設定情報がデジタルカメラ１の上下方向に並べられて配置される第２設定情報画像３２が表示される。使用者の十字キー２３２による上下方向の操作に応じて複数の設定情報の中から１つの設定情報が選択されると、デジタルカメラ１は、選択した設定情報で設定を行なう。
【００７８】
以上のように、本実施の形態では、操作モードに応じて、操作可能な操作部材と、表示手段に表示させる設定情報画像とを異ならせている。すなわち、操作部材と設定情報画像とを対応づけることにより、使用者による直感的な操作を可能とし、使い勝手のよい撮像装置を実現できる。
【００７９】
２．構成
実施の形態２のデジタルカメラ１の構成は実施の形態１のものと同様である。実施の形態２では、デジタルカメラ１は、第１モードまたは第２モードに設定可能である。前述のように、第１モードは、ダイヤル２３１に対する操作によって設定項目／設定情報の選択を可能とし、第２モードは、十字キー２３２に対する操作によって設定項目／設定情報の選択を可能とする。
【００８０】
３．動作
３．１  モード設定
デジタルカメラ１を第１モード又は第２モードに設定する方法を説明する。
まず、ＣＰＵ２１１は、図１６に示すようなモード選択画像を液晶モニタ２０５に表示させる。モード選択画像は、任意の操作に基づいて表示させればよく、本実施の形態での例に限定されない。例えば、スイッチを設けてこのスイッチの操作に応じて、表示するようにしてもよいし、あるタイミングで表示させるようにしてもよい。本実施の形態では、スイッチ操作で表示させるとし、デジタルカメラ１の背面に、表示モード切り替え釦２３６を設けている。
【００８１】
図１６に示すモード選択画像には、第１モードを選択するためのアイコン３４と、第２モードを選択するためのアイコン３６が含まれている。ＣＰＵ２１１は、使用者から十字キー２３２に対する操作に応じて選択されたアイコン３６にしたがい操作モードを決定する。具体的には、ＣＰＵ２１１は、使用者による十字キー２３２の上下キー２３ａ、２３ｂの操作に応じて第１モード又は第２モードを選択する。その後、使用者により中央スイッチ２３ｅが操作されると、選択しているモードが確定する。ＣＰＵ２１１は、確定したモードの情報をフラッシュメモリ２０９にモード情報として記憶する。
【００８２】
３．２  設定情報の設定
図１７のフローチャートを用いて、本実施の形態のデジタルカメラ１における設定情報の設定動作の一例を説明する。デジタルカメラ１が「静止画撮影モード」に設定された場合の動作例を説明する。以下では、液晶モニタ２０５に画像が表示されるよう設定されているとするが、ビューファインダー２０６に画像が表示される場合も同様である。
【００８３】
ＣＰＵ２１１は、現在の操作モードが第１モードか否かを判断する（Ｂ１）。この判断は、フラッシュメモリ２０９に記憶されたモード情報を読み出すことによってなされる。
【００８４】
現在の操作モードが第１モードである場合、ステップＢ２に進む。ステップＢ２では、ＣＰＵ２１１はＣＭＯＳセンサ２０１で順次生成される画像データを液晶モニタ２０５にスルー画像として順次表示させる（図１８（Ａ）参照）。
【００８５】
その後、ＣＰＵ２１１は、クイック設定釦２３０から操作信号を受け付けると（Ｂ３）、項目画像２０を、スルー画像を含む画像に重畳して液晶モニタ２０５に表示させる（Ｂ４）（図１８（Ｂ）参照）。
【００８６】
ＣＰＵ２１１は、使用者によるダイヤル２３１の操作に応じて、項目画像２０が示す複数の設定項目の中から一つを選択し、決定する（Ｂ５）。すなわち、ＣＰＵ２１１は、ダイヤル２３１の回動操作に応じて一つの項目を選択する。ＣＰＵ２１１は、選択された項目を、選択されなかった項目と区別できるようにグレー表示する。ＣＰＵ２１１は、ダイヤル２３１の押下操作により、その選択されている項目を最終的に選択された項目として決定する。
【００８７】
このようにＣＰＵ２１１は、ダイヤル２３１からの左回動を示す操作信号、右回動を示す操作信号、及び、押下を示す操作信号に応じて、液晶モニタ２０５の表示を制御している。
【００８８】
ＣＰＵ２１１は項目を決定すると、図１９（Ａ）に示すように、第１設定情報画像３１を液晶モニタ２０５に表示させる（Ｂ６）。ＣＰＵ２１１は、ダイヤル２３１に対する操作に応じて、複数の設定情報の中の一つを選択して自装置に設定する（Ｂ７）。ＣＰＵ２１１は、ダイヤル２３１の回動操作に応じて設定情報を選択し、ダイヤル２３１の押下動作により、選択された設定情報を、最終的に選択された設定情報として決定する。ＣＰＵ２１１は、このようにして決定された設定情報に基づいてデジタルカメラ１の設定を行う（Ｂ１４）。
【００８９】
一方、現在の操作モードが第２モードである場合、ステップＢ８に進む。ステップＢ８では、ＣＰＵ２１１はＣＭＯＳセンサ２０１で順次生成される画像データを液晶モニタ２０５に順次スルー画像として表示させる（Ｂ８）（図２０（Ａ）参照）。このとき、液晶モニタ２０５で表示される画像（図２０（Ａ）参照）の表示方法は、第１モードで表示される画像（図１８（Ａ）参照）の表示方法とは異なっている。
【００９０】
ＣＰＵ２１１は、クイック設定釦２３０から操作信号を受け付けると（Ｂ９）、図２０（Ｂ）に示すように、項目画像２０を、スルー画像を含む画像に重畳して液晶モニタ２０５に表示させる（Ｂ１０）。
【００９１】
ＣＰＵ２１１は、十字キー２３２の操作に応じて、項目画像２０が示す複数の項目の中から一つを選択し、決定する（Ｂ１１）。すなわち、ＣＰＵ２１１は、十字キー２３２の左右方向を示す操作に応じて、一つの項目を選択する。そして、十字キー２３２の上方向を示す操作に応じて、その選択されている項目を最終的に選択された項目として決定する。
【００９２】
このようにＣＰＵ２１１は、十字キー２３２からの左方向を示す操作信号、右方向を示す操作信号及び押下を示す操作信号に応じて、液晶モニタ２０５の表示を制御している。
【００９３】
ＣＰＵ２１１は項目を決定すると、図１９（Ｂ）に示すように、第２設定情報画像３２を液晶モニタ２０５に表示させる（Ｂ１２）。ＣＰＵ２１１は、十字キー２３２に対する操作に応じて、複数の設定情報の中から一つを選択して、決定する（Ｂ１３）。具体的には、ＣＰＵ２１１は、十字キー２３２の上下方向を示す操作に応じて設定情報を選択し、十字キー２３２の中央キー２３ｅに対する押下操作（決定を示す操作）に応じて、選択されている設定情報を最終的に選択された設定情報として決定する。ＣＰＵ２１１は、このようにして決定された設定情報に基づいてデジタルカメラ１の設定を行う（Ｂ１４）。
【００９４】
以上のように、本実施の形態では、操作モードに応じて、操作部材と設定情報画像とを対応づけることにより、使用者による直感的な操作を可能とし、使い勝手のよい撮像装置を実現できる。
【００９５】
（実施の形態３）
本実施の形態のデジタルカメラは、設定項目を選択、決定する際に実際に操作された操作部材に応じて、表示する設定情報画像３１、３２を変更する。具体的には、設定項目を選択、決定する際に操作された操作部材がダイヤル２３１である場合、液晶モニタ２０５または電子ビューファインダー２０６には、設定情報が左右方向に配置される第１設定情報画像３１が表示される。一方、設定項目を選択、決定する際に操作された操作部材が十字キー２３２である場合、液晶モニタ２０５または電子ビューファインダー２０６には、設定情報が上下方向に配置される第２設定情報画像３２が表示される。
【００９６】
さらに、本実施形態のデジタルカメラは、設定項目決定後の設定情報を選択する際に使用可能な部材として、設定項目を決定する際に操作された操作部材を設定する。
【００９７】
図２１に、本実施の形態における各操作と、各操作において使用可能な操作部材との関係を示す。同図に示すように、設定項目の選択及び決定の操作については、ダイヤル２３１及び十字キー２３２が使用できる。しかし、設定情報の選択及び決定の操作においては、設定項目の決定操作においてダイヤル２３１が使用された場合、ダイヤル２３１のみが操作可能となり、設定項目の決定操作において十字キー２３２が使用された場合は、十字キー２３２のみが操作可能となる。すなわち、設定項目を決定する際に操作された部材がダイヤル２３１である場合、設定情報を選択する際に操作する部材としてダイヤル２３１が設定される（図２１の□）。一方、項目を決定する際に操作された部材が十字キー２３２である場合、設定情報を選択する際に操作する部材として十字キー２３２が設定される（図２１の△）。
【００９８】
上記のように構成したデジタルカメラ１の動作例を、図２２のフローチャートを用いて説明する。以下では、デジタルカメラ１が「静止画撮影モード」に設定された場合の動作例を説明する。また、液晶モニタ２０５に画像が表示されるように設定されているとする。実施の形態１と同様の構成、動作については説明を省略する。
【００９９】
ＣＰＵ２１１は、ＣＭＯＳセンサ２０１が生成した画像データをスルー画像として、液晶モニタ２０５に表示させる（図２３（Ａ）参照）。具体的には、ＣＰＵ２１１は、ＣＭＯＳセンサ２０１で順次生成される画像データを液晶モニタ２０５に順次表示させる（Ｃ１）。
【０１００】
その後、ＣＰＵ２１１は、クイック設定釦２３０から操作信号を受け付けると（Ｃ２）、図２３（Ｂ）に示すように、項目画像２０を、スルー画像を含む画像に重畳して液晶モニタ２０５に表示させる（Ｃ３）。
【０１０１】
ＣＰＵ２１１は、使用者によるダイヤル２３１又は十字キー２３２の操作に応じて、項目画像２０が示す複数の設定項目の中から一つを選択し、決定する（Ｃ４）。すなわち、ＣＰＵ２１１は、ダイヤル２３１の回動操作又は十字キー２３２の左右キー２３ｃ、２３ｄの操作に応じて設定項目を選択する。その後、ＣＰＵ２１１は、ダイヤル２３１の押下操作又は十字キー２３２の上キー２３ａの操作に応じて、選択されている項目を、最終的に選択された設定項目として決定する。
【０１０２】
ＣＰＵ２１１は、設定項目の決定時に使用された操作部材がダイヤル２３１か十字キー２３２かを判別する（Ｃ５）。ＣＰＵ２１１は、設定項目の決定がダイヤル２３１によりなされたと判断した場合、図２３（Ｃ）に示すように第１設定情報画像３１を液晶モニタ２０５に表示させる（Ｃ６）。この場合、ダイヤル２３１の操作方向と第１設定情報画像３１の選択方向が同じであるため、使用者は直感的な操作が可能となる。
【０１０３】
その後、ＣＰＵ２１１は、ダイヤル２３１に対する操作に応じて、複数の設定情報の中から一つを選択し、設定する（Ｃ７）。すなわち、ＣＰＵ２１１は、ダイヤル２３１の回動操作に応じて設定情報を選択し、ダイヤル２３１の押下操作に応じて設定情報を決定する。ＣＰＵ２１１は、このようにして決定された設定情報に基づいてデジタルカメラ１の構成要素を制御する（Ｃ１０）。
【０１０４】
一方、ステップＣ５において、ＣＰＵ２１１は、設定項目の決定が十字キー２３２によりなされたと判断した場合、図２３（Ｄ）に示すように第２設定情報画像３２を液晶モニタ２０５に表示させる（Ｃ８）。この場合、十字キー２３２の操作方向と第２設定情報画像３２の選択方向が同じであるため、使用者は直感的な操作が可能となる。
【０１０５】
その後、ＣＰＵ２１１は、十字キー２３２に対する操作に応じて複数の設定情報の中から一つを選択し、決定する（Ｃ９）。具体的には、ＣＰＵ２１１は、十字キー２３２の上下キー２３ａ、２３ｂの操作に応じて設定情報を選択し、十字キー２３２の中央キー２３ｅの押下操作に応じて設定情報を決定する。ＣＰＵ２１１は、このようにして決定された設定情報に基づいて、デジタルカメラ１の構成要素を制御する（Ｃ１０）。
【０１０６】
以上のように、操作部材と設定情報画像とを対応づけることで、使用者の直感的な操作が可能となり、設定操作時の利便性が向上する。
【０１０７】
（他の実施の形態）
本発明の実施の形態として実施の形態１〜３を例示した。しかし、本発明は、これらの実施の形態に限定されず、他の実施の形態においても実現可能である。そこで、本発明の他の実施の形態を以下まとめて説明する。
【０１０８】
実施の形態１では、電子ビューファインダー２０６に設定情報画像を表示させる場合と、液晶モニタ２０５に設定情報画像を表示させる場合とで、設定情報を選択する際に使用できる部材を異ならせるようにした。例えば、電子ビューファインダー２０６に画像を表示している場合、ＣＰＵ２１１は、ダイヤル２３１に対する操作に応じて設定情報を選択する。一方、液晶モニタ２０５に画像を表示させている場合、ＣＰＵ２１１は、十字キー２３２に対する操作に応じて設定情報を選択する。表示手段と操作部材との対応付けは上記の例に限定されない。例えば、電子ビューファインダー２０６に画像を表示している場合、十字キー２３２に対する操作に応じて設定情報を選択し、液晶モニタ２０５に画像を表示している場合、ダイヤル２３１に対する操作に応じて設定情報を選択するようにしてもよい。
【０１０９】
実施の形態２で示した第１モードにおける各操作と、各操作において使用可能な操作部材との関係を、図２４に示すような関係としてもよい。すなわち、第１モードの場合、ダイヤル２３１のみならず、十字キー２３２によっても項目の選択と決定の操作を可能としてもよい。具体的には、十字キー２３２の左右キー２３ｃ、２３ｄの操作に応じて設定項目を選択し、十字キーの中央キー２３ｅの操作に応じて設定項目を決定できるようにしてもよい。この場合、第１設定情報画像３１を液晶モニタ２０５等に表示させてもよい。さらに、十字キー２３２の左右キー２３ｃ、２３ｄの操作に応じて設定情報を選択し、十字キーの中央キー２３ｅの操作に応じて設定情報を決定するようにしてもよい。
【０１１０】
また、上記実施の形態において、液晶モニタの代わりに有機ＥＬディスプレイを使用してもよい。
【０１１１】
また、上記実施の形態では、十字キー２３２やダイヤル２３１を操作部材の一例として説明を行なった。操作部材として、他に、ジョグダイヤル、ズームレバー等も考えられる。つまり、デジタルカメラ１に対して使用者からの上下左右方向を示す操作信号を送信できるものであれば、任意の操作部材が使用できる。
【０１１２】
また、上記実施の形態では、ダイヤル操作の左右方向の回動動作に連動して、左右方向に並べられた項目の選択を行うようにしたが、左右方向の回動動作に連動して、上下方向に並べられた項目の選択を行うようにしてもよい。
【０１１３】
同様に、ダイヤル操作の上下方向の回動動作に連動し、左右方向に並べられた項目の選択を行うようにしてもよいし、上下方向に並べられた項目の選択を行うようにしてもよい。
【０１１４】
さらに、上記実施の形態では、２つの操作部材の組み合わせとして、ダイヤルと十字キーの組み合わせを用いたが、ダイヤルとダイヤル、十字キーと十字キー、ダイヤルと左右キー、ダイヤルと上下キーのような組み合わせでもよい。または、２つの操作部材として、ダイヤル、十字キー、左右キー、上下キーを含むグループの中の、２種類（同じ種類の組み合わせ含む）を選択して組み合わせてもよい。
【０１１５】
実施の形態１、３では、液晶モニタ２０５に画像が表示されるよう設定された場合を説明したが、電子ビューファインダー２０６に画像が表示されるよう設定された場合も同様である。
【０１１６】
また、液晶モニタ２０５と電子ビューファインダー２０６の切り替えについては、アイセンサ２４０を用いて行ってもよい。アイセンサ２４０はユーザが電子ビューファインダー２０６を覗いているか否かを検出する。アイセンサ２４０によりユーザが検知された場合は電子ビューファインダー２０６に画像が表示され、ユーザが検知されない場合は液晶モニタ２０５に画像が表示されることとしてもよい。
【０１１７】
上記の実施の形態は以下の構成の撮像装置も開示する。
表示手段と、
第１の操作手段と、
第２の操作手段と、
前記第１の操作手段または第２の操作手段が操作されたときに、その操作に応じて、撮像装置の設定項目の中の所定の設定項目について、複数の設定値候補を表示するように表示手段を制御する制御手段とを備え、
前記制御手段は、前記第１の操作手段が操作される場合と、前記第２の操作手段が操作される場合との間で、表示される設定項目及びその設定値候補は共通する一方、設定項目及びその設定値候補の表示方法が異なるように、前記表示手段を制御する、
撮像装置。
【０１１８】
（用語の対応）
デジタルカメラ１は撮像装置の一例である。液晶モニタ２０５や電子ビューファインダー２０６は表示手段の一例である。ＣＰＵ２１１は制御手段、選択手段の一例である。ダイヤル２３１は第１操作部材の一例である。十字キー２３２は第２操作部材の一例である。
【産業上の利用可能性】
【０１１９】
本発明は、複数の表示手段及び複数の操作部材を備える情報機器に適用可能である。例えば、本発明は、デジタルカメラ等の撮像装置やＰＤＡ等の情報表示端末に適用可能である。
【０１２０】
本発明は、特定の実施形態について説明されたが、当業者にとっては他の多くの変形例、修正、他の利用が明らかである。それゆえ、本発明は、ここでの特定の開示に限定されず、添付の請求の範囲によってのみ限定され得る。
【符号の説明】
【０１２１】
１  デジタルカメラ
２  カメラ本体
３  交換レンズ
２０１  ＣＭＯＳセンサ
２０４  バッファメモリ
２０５  液晶モニタ
２０６  電子ビューファインダー
２０９  フラッシュメモリ
２１１  ＣＰＵ
２１２  シャッタスイッチ
２１７  表示切り替え手段
２１８  メモリカード
２３０  クイック設定釦
２３１  ダイヤル
２３２  十字キー
２３４  切り替えスイッチ
２３５  モード切り替えダイヤル
【手続補正３】
【補正対象書類名】図面
【補正対象項目名】全図
【補正方法】変更
【補正の内容】
【図１】
2010029767.tif 000027
【図２】
2010029767.tif 000028
【図３】
2010029767.tif 000029
【図４】
2010029767.tif 000030
【図５】
2010029767.tif 000031
【図６】
2010029767.tif 000032
【図７】
2010029767.tif 000033
【図８】
2010029767.tif 000034
【図９】
2010029767.tif 000035
【図１０】
2010029767.tif 000036
【図１１】
2010029767.tif 000037
【図１２】
2010029767.tif 000038
【図１３】
2010029767.tif 000039
【図１４】
2010029767.tif 000040
【図１５】
2010029767.tif 000041
【図１６】
2010029767.tif 000042
【図１７】
2010029767.tif 000043
【図１８】
2010029767.tif 000044
【図１９】
2010029767.tif 000045
【図２０】
2010029767.tif 000046
【図２１】
2010029767.tif 000047
【図２２】
2010029767.tif 000048
【図２３】
2010029767.tif 000049
【図２４】
2010029767.tif 000050
【国際調査報告】
2010029767.tif 000051
2010029767.tif 000052